(57)【特許請求の範囲】
【請求項１】
第１の内部キャビティ部と、トウ部と、ヒール部と、トップ部と、ボトム部と、リア部と、フロント部とを有する中空ボディ部と、
前記ボトム部又はその近傍に延びる第２の内部キャビティ部と、
前記中空ボディ部にあり、各ポートが前記第２の内部キャビティ部内に延びる複数のポートであって、
前記トウ部の近くにあり、前記複数のポートのうちの複数の第１ポートを有し、略Ｌ字型をなす第１のポート領域と、
前記ヒール部の近くにあり、前記複数のポートのうちの複数の第２ポートを有し、略Ｌ字型をなす第２のポート領域とを有し、
前記複数の第１ポート又は前記複数の第２ポートの各ポートは、複数のウェイト部の各ウェイト部を受けるように構成された、前記複数のポートと、
を備えたゴルフクラブヘッドであって、
前記第２の内部キャビティ部は、弾性ポリマー材料で少なくとも５０％が充填されていることを特徴とするゴルフクラブヘッド。
【請求項２】
請求項１に記載のゴルフクラブヘッドにおいて、
各ポートは、弾性ポリマー材料で完全に取り囲まれていることを特徴とするゴルフクラブヘッド。
【請求項３】
請求項１に記載のゴルフクラブヘッドにおいて、
前記第２の内部キャビティ部は、前記中空ボディ部内にあり、前記第１の内部キャビティ部とは分離されていることを特徴とするゴルフクラブヘッド。
【請求項４】
請求項１に記載のゴルフクラブヘッドにおいて、
前記第１のポート領域は、前記ボトム部の第１の突出部を有し、
前記第２のポート領域は、前記ボトム部の第２の突出部を有することを特徴とするゴルフクラブヘッド。
【請求項５】
請求項１に記載のゴルフクラブヘッドにおいて、
前記第１のポート領域は、前記フロント部とリア部の間に延びる前記第１のポート領域の第１部分と、前記トウ部と前記ヒール部の間に延びて前記第１のポート領域の前記第１部分に対して横になる前記第１のポート領域の第２部分とを有し、
前記第２のポート領域は、前記フロント部と前記リア部の間に延びる前記第２のポート領域の第１部分と、前記トウ部と前記ヒール部の間に延びて前記第２のポート領域の前記第１部分に対して横になる前記第２ポート領域の第２部分とを有することを特徴とするゴルフクラブヘッド。
【請求項６】
請求項１に記載のゴルフクラブヘッドにおいて、
前記中空ボディ部内に前記トウ部と前記ヒール部の間に延びる複数の支持部を更に備えたことを特徴とするゴルフクラブヘッド。
【請求項７】
請求項１に記載のゴルフクラブヘッドにおいて、
前記中空ボディ部内に前記フロント部と前記リア部の間に延びる複数の支持部を更に備えたことを特徴とするゴルフクラブヘッド。
【請求項８】
トウ部と、ヒール部と、トップ部と、ボトム部と、リア部と、フェース部を持つフロント部と、
前記トウ部と前記フロント部の間の領域、前記ヒール部と前記フロント部の間の領域、前記トップ部と前記フロント部の間の領域、前記ボトム部と前記フロント部の間の領域、又は前記ボトム部の少なくとも１つの近くに延びるキャビティ部と、
前記ボトム部又はその近傍にあり、前記ボトム部又はその近傍から前記キャビティ部内に延びる複数のポートを有するポート領域であって、
前記トウ部の近くにあり、前記複数のポートのうちの複数の第１ポートを有し、略Ｌ字型をなす第１のポート領域と、
前記ヒール部の近くにあり、前記複数のポートのうちの複数の第２ポートを有し、略Ｌ字型をなす第２のポート領域とを有し、
前記複数の第１ポート又は前記複数の第２ポートの各ポートは、複数のウェイト部の各ウェイト部を受けるように構成された、前記ポート領域と、
を有する中空ボディ部を備えたゴルフクラブヘッドであって、
前記キャビティ部は、弾性ポリマー材料で少なくとも５０％が充填されていることを特徴とするゴルフクラブヘッド。
【請求項９】
請求項８に記載のゴルフクラブヘッドにおいて、
各ポートは、弾性ポリマー材料で少なくとも部分的に取り囲まれていることを特徴とするゴルフクラブヘッド。
【請求項１０】
請求項８に記載のゴルフクラブヘッドにおいて、
前記第１のポート領域は、前記ボトム部の第１の突出部を有し、
前記第２のポート領域は、前記ボトム部の第２の突出部を有することを特徴とするゴルフクラブヘッド。
【請求項１１】
請求項８に記載のゴルフクラブヘッドにおいて、
前記中空ボディ部内に前記トウ部と前記ヒール部の間に延びる複数の支持部を更に備えたことを特徴とするゴルフクラブヘッド。
【請求項１２】
請求項８に記載のゴルフクラブヘッドにおいて、
前記中空ボディ部内に前記フロント部と前記リア部の間に延びる複数の支持部を更に備えたことを特徴とするゴルフクラブヘッド。
【請求項１３】
トウ部と、ヒール部と、トップ部と、ボトム部と、リア部と、フェース部を持つフロント部と、前記ボトム部又はその近傍にあるポート領域とを有する中空ボディ部と、
前記トウ部の近くにあり、複数の第１ポートを有し、略Ｌ字型をなす第１のポート領域と、
前記ヒール部の近くにあり、複数の第２ポートを有し、略Ｌ字型をなす第２のポート領域と、
を備えたゴルフクラブヘッドであって、
前記複数の第１ポート又は前記複数の第２ポートの各ポートは、複数のウェイト部の各ウェイト部を受けるように構成され、
前記複数の第１ポート及び前記複数の第２ポートの各ポートを少なくとも部分的に取り囲む弾性ポリマー材料を備えたことを特徴とするゴルフクラブヘッド。
【請求項１４】
請求項１３に記載のゴルフクラブヘッドにおいて、
前記弾性ポリマー材料で少なくとも５０％が充填された第１キャビティ部と、
前記弾性ポリマー材料で少なくとも５０％が充填された第２キャビティ部とを更に備え、
前記複数の第１ポートは、前記ボトム部から前記第１キャビティ部内に延びており、
前記複数の第２ポートは、前記ボトム部から前記第２キャビティ部内に延びていることを特徴とするゴルフクラブヘッド。
【請求項１５】
請求項１３に記載のゴルフクラブヘッドにおいて、
前記複数の第１ポート及び前記複数の第２ポートの各ポートは、前記弾性ポリマー材料で完全に取り囲まれていることを特徴とするゴルフクラブヘッド。
【請求項１６】
請求項１３に記載のゴルフクラブヘッドにおいて、
前記中空ボディ部内に前記ボトム部に沿って延びる複数の支持部を更に備えたことを特徴とするゴルフクラブヘッド。
【請求項１７】
請求項１３に記載のゴルフクラブヘッドにおいて、
前記中空ボディ部内に前記トウ部と前記ヒール部の間又は前記フロント部と前記リア部の間に延びる複数の支持部を更に備えたことを特徴とするゴルフクラブヘッド。
【発明の詳細な説明】
【技術分野】
【０００１】
［著作権表示］
本開示は、著作権による保護の対象となり得る。著作権者は、特許商標庁の特許ファイル又は記録に表れるように、本開示又はその関連文書が何人かによりファクシミリ複製されることに異議を持たないが、そうでない場合には全ての著作権を留保する。
【０００２】
［関連出願の相互参照］
本出願は、2015年2月11日に出願された米国仮出願第62/115,024号、2015年2月25日に出願された米国仮出願第62/120,760号、2015年3月26日に出願された米国仮出願第62/138,918号、2015年6月25日に出願された米国仮出願第62/184,757号、2015年7月17日に出願された米国仮出願第62/194,135号、2015年7月21日に出願された米国仮出願第62/195,211号、2015年10月21日に出願された米国仮出願第62/244,679号、及び、2015年10月22日に出願された米国仮出願第62/245,116号の利益を主張する。本出願は、2014年8月26日に出願された米国仮出願62/042,155号、2014年9月10日に出願された米国仮出願62/048,693号、2015年1月9日に出願された米国仮出願第62/101,543号、2015年1月19日に出願された米国仮出願第62/105,123号、及び、2015年1月29日に出願された米国仮出願第62/109,510号の利益を主張する、2015年2月6日に出願された米国出願第14/615,606の継続出願である、2015年11月12日に出願された米国出願第14/939,849の一部継続出願である。本出願はまた、2014年10月28日に出願された米国出願第29/507,474号の分割出願である、2015年2月6日に出願された米国出願第29/516,817号の一部継続出願である。本出願はまた、2015年7月17日に出願された米国出願第29/533,540号の一部継続出願である、2015年8月26日に出願された米国出願第29/537,455号の分割出願である、2015年12月7日に出願された米国出願第29/547,662号の一部継続出願である。本出願はまた、2015年10月21に出願された米国出願第29/543,195号の一部継続出願である、2015年12月15に出願された米国出願第29/548,537号の一部継続出願である。参照出願の開示は、参照により本明細書に組み込まれる。
【０００３】
［技術分野］
本開示は、一般にスポーツ用品に関し、より具体的には、ゴルフクラブヘッド及びゴルフクラブヘッド製造方法に関する。
【背景技術】
【０００４】
ゴルフでは、種々の要因が、ゴルフボールの進む距離や方向に影響を与え得る。具体的には、ゴルフクラブヘッドの重心（ＣＧ）及び／又は慣性モーメント（ＭＯＩ）が、打ち出し角、スピンレート、及びインパクト時のゴルフボールの方向に影響を与え得る。このような要因が、ゴルフスイングのタイプによって大きく変化する。
【図面の簡単な説明】
【０００５】
【図１】図１は、本明細書に記載の器具、方法、及び製造物の一実施形態に関するゴルフクラブヘッドの上面斜視図である。
【０００６】
【図２】図２は、図１に例示したゴルフクラブヘッドの底面斜視図である。
【０００７】
【図３】図３は、図１に例示したゴルフクラブヘッドの平面図である。
【０００８】
【図４】図４は、図１に例示したゴルフクラブヘッドの底面図である。
【０００９】
【図５】図５は、図１に例示したゴルフクラブヘッドの正面図である。
【００１０】
【図６】図６は、図１に例示したゴルフクラブヘッドの背面図である。
【００１１】
【図７】図７は、図１に例示したゴルフクラブヘッドのトウ側から見た図である。
【００１２】
【図８】図８は、図１に例示したゴルフクラブヘッドのヒール側から見た図である。
【００１３】
【図９】図９は、図１に例示したゴルフクラブヘッドの例示的なボディ部の底面図である。
【００１４】
【図１０】図１０は、図１に例示したゴルフクラブヘッドの例示的なボディ部の断面図である。
【００１５】
【図１１】図１１は、図１に例示したゴルフクラブヘッドの２つのウェイトポートを示す図である。
【００１６】
【図１２】図１２は、図１に例示したゴルフクラブヘッドの例示的なウェイト部の平面図である。
【００１７】
【図１３】図１３は、図１０に例示したウェイト部の側面図である。
【００１８】
【図１４】図１４は、図１に例示したゴルフクラブヘッドの例示的な打ち出し軌道プロファイルを示す図である。
【００１９】
【図１５】図１５は、例示的なウェイト部の第１のウェイト配置を示す図である。
【００２０】
【図１６】図１６は、例示的なウェイト部の第２のウェイト配置を示す図である。
【００２１】
【図１７】図１７は、例示的なウェイト部の第３のウェイト配置を示す図である。
【００２２】
【図１８】図１８は、例示的なウェイト部の第４のウェイト配置を示す図である。
【００２３】
【図１９】図１９は、図１８に例示したゴルフクラブヘッドの例示的な打ち出し軌道プロファイルを示す図である。
【００２４】
【図２０】図２０は、本明細書で例示したゴルフクラブヘッドを製造する１つの方法を示す図である。
【００２５】
【図２１】図２１は、別の例示的なゴルフクラブヘッドの底面図である。
【００２６】
【図２２】図２２は、更に別の例示的なゴルフクラブヘッドの底面図である。
【００２７】
【図２３】図２３は、更に別の例示的なゴルフクラブヘッドの概略断面図である。
【００２８】
【図２４】図２４は、更に別の例示的なゴルフクラブヘッドの概略断面図である。
【００２９】
【図２５】図２５は、別の例示的なゴルフクラブヘッドの概略側面断面図である。
【００３０】
【図２６】図２６は、図２５のゴルフクラブヘッドの概略正面断面図である。
【００３１】
【図２７】図２７は、別の例示的なゴルフクラブヘッドの概略側面断面図である。
【００３２】
【図２８】図２８は、図２７のゴルフクラブヘッドの概略正面断面図である。
【００３３】
【図２９】図２９は、別の例示的なゴルフクラブヘッドの概略底面断面図である。
【００３４】
【図３０】図３０は、図２９のゴルフクラブヘッドの概略側面断面図である。
【００３５】
【図３１】図３１は、別の例示的なゴルフクラブヘッドの概略底面断面図である。
【００３６】
【図３２】図３２は、図３１のゴルフクラブヘッドの概略側面断面図である。
【００３７】
【図３３】図３３は、別の例示的なゴルフクラブヘッドの底面斜視図である。
【００３８】
【図３４】図３４は、図３３のゴルフクラブヘッドの底面図である。
【００３９】
【図３５】図３５は、図３３のゴルフクラブヘッドの背面図である。
【００４０】
【図３６】図３６は、図３３のゴルフクラブヘッドのトウ面図である。
【００４１】
【図３７】図３７は、図３３のゴルフクラブヘッドのヒール面図である。
【００４２】
【図３８】図３８は、図３３のゴルフクラブヘッドの３８−３８線に沿った側面断面図である。
【００４３】
【図３９】図３９は、図３３のゴルフクラブヘッドの３９−３９線に沿った別の側面断面図である。
【００４４】
【図４０】図４０は、図３３のゴルフクラブヘッドの４０−４０線に沿った別の側面断面図である。
【００４５】
【図４１】図４１は、図３３のゴルフクラブヘッドの４１−４１線に沿った別の側面断面図である。
【００４６】
【図４２】図４２は、別の例示的なゴルフクラブヘッドの底面斜視図である。
【００４７】
【図４３】図４３は、図４２のゴルフクラブヘッドの底面図である。
【００４８】
【図４４】図４４は、図４２のゴルフクラブヘッドの背面図である。
【００４９】
【図４５】図４５は、図４２のゴルフクラブヘッドのトウ面図である。
【００５０】
【図４６】図４６は、図４２のゴルフクラブヘッドのヒール面図である。
【００５１】
【図４７】図４７は、別の例示的なゴルフクラブヘッドの概略側面断面図である。
【００５２】
【図４８】図４８は、図４７のゴルフクラブヘッドの概略分解断面図である。
【００５３】
【図４９】図４９は、別の例示的なゴルフクラブヘッドの底面斜視図である。
【００５４】
【図５０】図５０は、図４９のゴルフクラブヘッドの底面図である。
【００５５】
【図５１】図５１は、図４９のゴルフクラブヘッドの底面断面図である。
【００５６】
【図５２】図５２は、図５１のゴルフクラブヘッドのボトム部の一部の概略断面図である。
【００５７】
【図５３】図５３は、本明細書に記載の器具、方法及び製造物の別の実施形態に関するゴルフクラブヘッドの平面図である。
【００５８】
【図５４】図５４は、図５３に例示したゴルフクラブヘッドの５４−５４線に沿った概略断面図である。
【００５９】
【図５５】図５５は、図５３に例示したゴルフクラブヘッドの正面図である。
【００６０】
【図５６】図５６は、本明細書に記載の器具、方法及び製造物の更に別の実施形態に関するゴルフクラブヘッドの平面図である。
【００６１】
【図５７】図５７は、図５６に例示したゴルフクラブヘッドの５７−５７線に沿った概略断面図である。
【００６２】
【図５８】図５８は、図５６に例示したゴルフクラブヘッドの正面図である。
【００６３】
【図５９】図５９は、本明細書に記載の器具、方法及び製造物の更に別の実施形態に関するゴルフクラブヘッドの平面図である。
【００６４】
【図６０】図６０は、図５９に例示したゴルフクラブヘッドの６０−６０線に沿った概略断面図である。
【００６５】
【図６１】図６１は、本明細書に記載の器具、方法及び製造物の別の実施形態に関するゴルフクラブヘッドであり、図５９に例示したゴルフクラブヘッドの６０−６０線に沿った概略断面図である。
【発明を実施するための形態】
【００６６】
説明の簡素化及び明確化のために、図面は構造を一般的な方法で示し、周知の機能及び技術の説明及び詳細は本開示を不必要に不明瞭にすることを避けるために省略される。また、図面中の要素は必ずしも一定の縮尺では描かれない。例えば、図面中の一部の要素の寸法は、本開示の実施例の理解の改善を助けるために他の要素に対して誇張され得る。
【００６７】
一般に、ゴルフクラブヘッド及びゴルフクラブヘッド製造方法が本明細書に記載される。本明細書に記載の器具、方法、及び製造物は、これに限定されない。
【００６８】
図１〜１３の例では、ゴルフクラブヘッド１００は、ボディ部１１０と、概して第１セットのウェイト部２１０（図２）及び第２セットのウェイト部２２０（図２）として示される、複数のウェイト部１２０とを含んでもよい。ボディ部１１０は、トップ１３０と、ボトム部１４０と、トウ部１５０と、ヒール部１６０と、フロント部１７０と、リア部１８０とを含んでもよい。ボトム部１４０は、フロント部１７０を除くトップ部１３０とボトム部１４０との間に、トウ部１５０からリア部１７０を回ってヒール部１６０に至るゴルフクラブヘッド１００の周囲を横断して設けられる、ゴルフクラブヘッド１００のサイド部として規定されたスカート部１９０を含んでもよい。ボトム部１４０は、推移領域２３０とウェイトポート領域２４０とを含んでもよい。例えば、ウェイトポート領域２４０は、Ｄ字状の領域であってもよい。ウェイトポート領域２４０は、複数のウェイト部１２０を受ける複数のウェイトポート９００（図９）を含んでもよい。フロント部１７０は、ゴルフボール（不図示）に対するフェース部１７５を含んでもよい。ボディ部１１０は、シャフト（不図示）を受けるホーゼル部１６５を含んでもよい。あるいは、ボディ部１１０は、ホーゼル部１６５に代えてボアを含んでもよい。例えば、ボディ部１１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部１１０は、部分的に又は完全に、セラミック材料、複合材料、それらの任意の組み合わせ、又は他の適切なタイプの材料のような非金属材料で作製されてもよい。
【００６９】
ゴルフクラブヘッド１００は、３００立方センチメートル（ｃｍ3又はｃｃ）以上のクラブヘッド体積を有してもよい。一例では、ゴルフクラブヘッド１００は、約４６０ｃｃであってもよい。あるいは、ゴルフクラブヘッド１００は、３００ｃｃ以下のクラブヘッド体積を有してもよい。具体的には、ゴルフクラブヘッド１００は、１００ｃｃから２００ｃｃの間のクラブヘッド体積を有してもよい。ゴルフクラブヘッド１００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド１００のクラブヘッド体積を測定するために使用することができる。図１は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。本明細書に記載の器具、方法、及び製造物は、これに限定されない。
【００７０】
概して４０５、４１０、４１５、４２０、４２５、４３０、４３５（図４）として示される、第１セットのウェイト部２１０の各々は、第１質量と関連付けられてもよい。概して４４０、４４５、４５０、４５５、４６０、４６５、４７０、４７５、４８０（図４）として示される、第２セットのウェイト部２２０の各々は、第２質量と関連付けられてもよい。第１質量は、第２質量より大きくてもよく、又はその逆でもよい。一例では、第１セットのウェイト部２１０は、タングステン系材料で作製され得る一方で、第２セットのウェイト部２２０は、アルミニウム系材料で作製され得る。以下に詳細に説明するように、第１セット及び第２セットのウェイト部２１０、２２０は、それぞれ、種々のウェイト配置を提供することができる（例えば、図１５〜１８）。
【００７１】
図９〜１１を参照すると、例えば、ボディ部１１０のボトム部１４０は、複数のウェイトポート９００を含んでもよい。概して９０５、９１０、９１５、９２０、９２５、９３０、９３５、９４０、９４５、９５０、９５５、９６０、９６５、９７０、９７５、９８０として示される、複数のウェイトポート９００は、ボトム部１４０のウェイトポート領域２４０の周縁に沿って配置される。複数のウェイトポート９００は、ボトム部１４０を横断して設けられてもよい。具体的には、複数のウェイトポート９００は、ボトム部１４０を横断して、トウ部１５０とヒール部１６０のそれぞれの間に設けられてもよい。複数のウェイトポート９００はまた、ボトム部１４０を横断して、フロント部１７０とリア部１８０のそれぞれの間に設けられてもよい。複数のウェイトポート９００は、概してＤ字状のループを画定する経路に沿ってボトム部１４０を横断して配置されてもよい。一例では、複数のウェイトポート９００は、ボトム部１４０を横断して、トウ部１５０とヒール部１６０のそれぞれの間の最大トウ−ヒール間距離５００の５０％以上に設けてもよい。ゴルフクラブヘッド１００の最大トウ−ヒール間距離５００は、トウ部１５０とヒール部１６０のそれぞれの間で、トップ部１３０とボトム部１４０のそれぞれの間の推移領域から測定されてもよい。あるいは、最大トウ−ヒール間距離５００は、トウ部１５０とヒール部１６０のそれぞれの最外点の垂直投影間の水平距離であってもよい。例えば、最大トウ−ヒール間距離５００は、ゴルフクラブヘッド１００が約６０度のライ角５１０である場合に測定されてもよい。ヒール部１６０の最外点を容易に規定できない場合には、ヒール部１６０の最外点は、接地面５３０（例えば、ゴルフクラブヘッド１００が置かれる水平面）の上側の約０．８７５インチ（２２．２３ミリメートル）の高さ５２０に決めてもよい。複数のウェイトポート９００は、ゴルフクラブヘッド１１０の最大トウ−ヒール間クラブヘッド距離５００の５０％以上に設けられてもよい。具体的には、複数のウェイトポート９００は、ゴルフクラブヘッド１１０の最大トウ−ヒール間クラブヘッド距離５００の５０％以上である最大トウ−ヒール間ウェイトポート距離９９５でトウ部１５０とヒール部の間に設けられてもよい。一例では、ゴルフクラブヘッド１１０の最大トウ−ヒール間クラブヘッド距離５００は、５インチ（１２７ミリメートル）以上でなくともよい。したがって、複数のウェイトポート９００は、トウ部１５０とヒール部１６０のそれぞれの間の少なくとも２．５インチのウェイトポート最大トウ−ヒール間ウェイトポート距離に設けられてもよい。最大トウ−ヒール間ウェイトポート距離９９５は、トウ部１５０から最も遠いウェイトポートのヒール側の境界とヒール部１６０から最も遠いウェイトポートのトウ側の境界との間の最大距離であってもよい。図９の例では、ウェイトポート最大トウ−ヒール間ウェイトポート距離９９５は、ウェイトポート９４０のヒール側の境界とウェイトポート９８０のトウ側の境界との間の最大距離であってもよい。例えば、最大トウ−ヒール間ウェイトポート距離９９５は、約３．７インチであってもよい。ゴルフのルールが時々変更される（例えば、ゴルフ標準団体及び／又は運営組織によって、新たな規則が採用され、又は古い規定が撤廃又は修正される）ように、最大トウ−ヒール間クラブヘッド距離５００を測定するためのライ角５１０及び／又は高さ５２０も変更されてもよい。本明細書に記載の器具、方法、及び製造物は、これに限定されない。
【００７２】
複数のウェイトポート９００の各々は、ポート径（Ｄport）（例えば、図１１に１１０５、１１１０として示される）と関連付けられてもよい。例えば、複数のウェイトポート９００の各ウェイトポートのポート径は、約０．３インチ（７．６５ミリメートル）であってもよい。あるいは、隣接するウェイトポートのポート径は、異なってもよい。一例では、ウェイトポート９０５は、ポート径１１０５と関連付けられてもよく、ウェイトポート９１０は、ポート径１１１０と関連付けられてもよい。具体的には、ウェイトポート９０５のポート径１１０５は、ウェイトポート９１０のポート径１１１０より大きくてもよく、又はその逆でもよい。本明細書に記載の器具、方法、及び製造物は、これに限定されない。
【００７３】
ボトム部１４０はまた、外面９９０を含んでもよい。図１０に示すように、例えば、複数のウェイトポート９００は、外面９９０によって形成された外面カーブ１０９０に関してボトム部１４０に形成されてもよい。具体的には、複数のウェイトポート９００の各々は、概して１１０５、１０１０、１０１５として示されるポート軸と関連付けられてもよい。ウェイトポートの中心は、ウェイトポートのポート軸を規定してもよい。各ポート軸は、ポート軸と外面カーブ１０９０との交点で外面カーブ１０９０に接する面に対して垂直又は実質的に垂直であってもよい。一例では、実質的に垂直とは、垂直から±５°のずれを指すものでもよい。他の例では、実質的に垂直とは、垂直から±３°のずれを指すものでもよい。垂直からのずれは、製造上の公差に依存してもよい。
【００７４】
一例では、ポート軸１０１０は、外面カーブ１０９０の接平面１０１２に対して垂直又は実質的に垂直（すなわち、法線）であってもよい。複数の固定具を、種々の位置でのゴルフクラブヘッド１００の位置調整によって複数のウェイトポート９００を作製するために使用されてもよい。あるいは、ウェイトポートは、複数のウェイトポート９００を形成するために余分な材料を（例えば、水ジェット切断及び／又はレーザー切断による）フライス加工で取り除くよう複数の軸の周りにゴルフクラブヘッドを回転させることができる、多軸加工プロセスによって作製されてもよい。更に、多軸加工プロセスは、フライス工具を表面の周囲に接線方向に移動できるので、適切な表面仕上げを提供することができる。したがって、本明細書に記載の器具、方法、及び製造物は、ボトム部１４０に複数のウェイトポート９００の各々を形成するために多軸加工プロセスを使用してもよい。例えば、５軸フライス盤は、複数のウェイトポート９００の各々のポート軸１０００を外面カーブ１０９０に対して垂直又は実質的に垂直となるように、複数のウェイトポート９００を形成することができる。５軸フライス盤の工具は、外面９９０の外面カーブ１０９０について接線方向に移動されてもよい。
【００７５】
図１１に戻り、例えば、隣接する２つのウェイトポートは、外面カーブ１０９０上の隣接する２つのウェイトポート間の最短距離であるポート距離１１００で離されてもよい。具体的には、ポート距離１１００は、隣接する２つのウェイトポートのうちのいずれかのポート径以下であってもよい。一例では、ウェイトポート９０５、９１０間のポート距離１１００は、ポート径１１０５又はポート径１１１０のいずれか以下であってもよい。本明細書に記載の器具、方法、及び製造物は、これに限定されない。
【００７６】
複数のウェイト部１２０は、類似又は異なる物理的特性（例えば、密度、形状、質量、体積、サイズ、色、等）を有してもよい。一例では、第１セットのウェイト部２１０は、黒色であり得る一方で、第２セットのウェイト部２２０は、灰色又は鋼色であり得る。複数のウェイト部１２０の一部又は全部は、部分的に又は完全に、鋼系材料、タングステン系材料、アルミニウム系材料のような金属材料、それらの任意の組み合わせ又は適切なタイプの材料で作製されてもよい。あるいは、複数のウェイト部１２０の一部又は全部は、部分的に又は完全に、非金属材料（例えば、複合材料、プラスチック、等）で作製されてもよい。
【００７７】
図１２、１３に例を図示するように、複数のウェイト部１２０の各ウェイト部は、円筒形状（例えば、円形の断面）を有してもよい。上記の例は特定の形状を持つウェイト部を記載しているが、本明細書に記載の器具、方法、及び製造物は、他の適切な形状（例えば、球体の一部又は全部、立方体、円錐、円柱、角錐、円錐台、立方体状、角柱、錐台、又は他の適切な幾何学的形状）のウェイト部を含んでもよい。複数のウェイト部１２０の各ウェイト部は、径１２００及び高さ１３００と関連付けられてもよい。一例では、複数のウェイト部１２０の各ウェイト部は、約０．３インチ（７．６２ミリメートル）の径及び約０．２インチ（５．０８ミリメートル）の高さを有してもよい。あるいは、第１及び第２セットのウェイト部２１０、２２０は、それぞれ、幅及び／又は高さが異なってもよい。
【００７８】
他のゴルフクラブヘッドとしてリアからフロントに向かう方向に代えて、複数のウェイト部１２０の各ウェイト部は、ボトムからトップに向かう方向の複数のウェイトポート４００の１つに係合してもよい。複数のウェイト部１２０は、ウェイトポートに固定するためのネジ山を含んでもよい。例えば、複数のウェイト部１２０の各ウェイト部は、ネジであってもよい。複数のウェイト部１２０は、工具有り又は無しで、ボディ部１１０から容易に取り外し可能でなくともよい。あるいは、複数のウェイト部１２０は、１以上のウェイト部１２０を相対的に重い又は軽いウェイト部にそれぞれ付け替えることができるように、（例えば、工具有りで）容易に取り外し可能であってもよい。別の例では、複数のウェイト部１２０は、複数のウェイト部１２０を容易に取り外しできないように、エポキシ樹脂又は接着剤でボディ部１１０のウェイトポートに固定されてもよい。更に別の例では、複数のウェイト部１２０は、複数のウェイト部１２０を容易に取り外しできないように、エポキシ樹脂及びネジ山の両方でボディ部１１０のウェイトポートに固定されてもよい。本明細書に記載の器具、方法、及び製造物は、これに限定されない。
【００７９】
他のゴルフクラブヘッドとは対照的に、ゴルフクラブヘッド１００は、少なくとも４つの異なるタイプのゴルフスイングに対応することができる。図１４に示すように、例えば、各ウェイト配置は、概して１４１０、１４２０、１４３０として示される、複数の打ち出し軌道プロファイル１４００の１つと関連付けられてもよい。図１５を参照すると、例えば、第１のウェイト配置１５００は、第１セットのウェイトポート１５１０の配置と関連付けられてもよい。第１セットのウェイトポート１５１０は、フロント部１７０又はその近傍（例えば、図９に例示するウェイトポート９０５、９１０、９１５、９２０、９２５、９３０、９３５）に配置されてもよい。第１のウェイト配置１５００では、第１セットのウェイト部は、第１セットのウェイトポート１５１０の配置に従ってフロント部１７０に向かって配置され得る一方で、第２セットのウェイト部は、リア部１８０に向かって配置され得る。具体的には、第１セットのウェイト部は、第１セットのウェイトポート１５１０の配置に従ってフロント部１７０又はその近傍でクラスターを形成してもよい。ウェイト部４０５、４１０、４１５、４２０、４２５、４３０、４３５は、第１セットのウェイト部を規定して、ウェイトポート９０５、９１０、９１５、９２０、９２５、９３０、９３５のそれぞれに配置されてもよい。ウェイト部４４０、４４５、４５０、４５５、４６０、４６５、４７０、４７５、４８０は、第２セットのウェイト部を規定して、ウェイトポート９４０、９４５、９５０、９５５、９６０、９６５、９７０、９７５、９８０のそれぞれに配置されてもよい。第１のウェイト配置１５００は、第１の打ち出し軌道プロファイル１４１０（図１４）と関連付けられてもよい。具体的には、第１のウェイト配置１５００は、ゴルフボールのスピンレートを減少させることができる。第１セットのウェイトポート１５１０の配置に従ってゴルフクラブヘッド１００のフロント部１７０に向かって比較的重いウェイト部（すなわち、第１セットのウェイト部）を配置することで、ゴルフクラブヘッド１００の重心（ＧＣ）を、比較的低い打ち出し及びスピン軌道を提供するように比較的前方及び下方に移動させることができる。その結果、第１の打ち出し軌道プロファイル１４１０は、比較的大きいロール距離（すなわち、地面に衝突した後の距離）と関連付けることができる。上記の例は、特定のウェイトポートにウェイト部を配置する記述であるが、第１セットのウェイト部２１０の任意のウェイト部は、第１セットのウェイトポート１５１０の任意のウェイトポートに配置されてもよい。
【００８０】
図１６に戻り、例えば、第２のウェイト配置１６００は、第２セットのウェイトポート１６１０の配置と関連付けられてもよい。第２セットのウェイトポート１６１０は、リア部（例えば、図９に例示するウェイトポート９４５、９５０、９５５、９６０、９６５、９７０、９７５）又はその近傍に配置されてもよい。図１６に示す第２のウェイト配置１６００では、例えば、第１セットのウェイト部は、リア部１８０に向かって配置され得る一方で、第２セットのウェイト部は、フロント部１７０に向かって配置され得る。具体的には、第１セットのウェイト部は、第２セットのウェイトポート１６１０の配置に従ってリア部１８０又はその近傍でクラスター１６１０を形成してもよい。ウェイト部４０５、４１０、４１５、４２０、４２５、４３０、４３４は、第１セットのウェイト部を規定して、ウェイトポート９４５、９５０、９５５、９６０、９６５、９７０、９７５のそれぞれに配置されてもよい。ウェイト部４４０、４４５、４５０、４５５、４６０、４６５、４７０、４７５、４８０は、第２セットのウェイト部を規定して、ウェイトポート９０５、９１０、９１５、９２０、９２５、９３０、９３５、９４０、９８０のそれぞれに配置されてもよい。第２のウェイト配置１６００は、第２の打ち出し軌道プロファイル１４２０（図１４）と関連付けられてもよい。具体的には、第２のウェイト配置１６００は、ゴルフボールの打ち出し角を増加させ、寛容性を最大にすることができる。第２セットのウェイトポート１６１０の配置に従ってゴルフクラブヘッド１００のリア部１８０に向かって比較的重いウェイト部（すなわち、第１セットのウェイト部）を配置することで、ゴルフクラブヘッド１００の重心（ＧＣ）を、比較的高い打ち出し及びスピン軌道を提供するように比較的後方及び上方に移動させることができる。更に、ゴルフクラブヘッド１００の慣性モーメント（ＭＯＩ）を、水平軸（フロント−バック軸）と垂直軸（トップ−ボトム軸）の両方で増加させることができ、中心を外れた打撃のより高い寛容性を提供することができる。その結果、第２の打ち出し軌道プロファイル１４２０は、比較的大きいキャリー距離（すなわち、空中の距離）と関連付けることができる。
【００８１】
図１７に戻り、例えば、第３のウェイト配置１７００は、第３セットのウェイトポート１７１０の配置と関連付けられてもよい。第３のウェイト配置１７００では、例えば、第１セットのウェイト部は、ヒール部１６０に向かって配置され得る一方で、第２セットのウェイト部は、トウ部１５０に向かって配置され得る。具体的には、第１セットのウェイト部は、第３セットのウェイトポート１７１０の配置に従ってヒール部１６０又はその近傍でウェイト部のクラスターを形成してもよい。ウェイト部４０５、４１０、４１５、４２０、４２５、４３０、４３５は、第１セットのウェイト部を規定して、ウェイトポート９２５、９３０、９３５、９４０、９４５、９５０、９５５のそれぞれに配置されてもよい。ウェイト部４４０、４４５、４５０、４５５、４６０、４６５、４７０、４７５、４８０は、第２セットのウェイト部を規定して、ウェイトポート９０５、９１０、９１５、９２０、９６０、９６５、９７０、９７５、９８０のそれぞれに配置されてもよい。第３のウェイト配置１７００は、第３の打ち出し軌道プロファイル１４３０（図１４）と関連付けられてもよい。具体的には、第３のウェイト配置１７００は、各人がゴルフクラブヘッド１００を比較的容易にターンオーバーすることを可能にすることができる（すなわち、ゴルフボールのインパクトに対してフェース部１７５を整える）。ゴルフクラブヘッド１００のヒール部１６０に向かって比較的重いウェイト部（すなわち、第１セットのウェイト部）を配置することで、ゴルフクラブヘッド１００の重心（ＧＣ）をシャフトの軸の比較的近くに移動させることができる。
【００８２】
図１８に戻り、例えば、第４のウェイト配置１８００は、第４セットのウェイトポート１８１０の配置と関連付けられてもよい。第４のウェイト配置１８００では、例えば、第１セットのウェイト部は、トウ部１５０に向かって配置され得る一方で、第２セットのウェイト部はヒール部１６０に向かって配置され得る。具体的には、第１セットのウェイト部は、第４セットのウェイトポート１８１０の配置に従ってトウ部１５０又はその近傍でウェイト部のクラスターを形成してもよい。ウェイト部４０５、４１０、４１５、４２０、４２５、４３０、４３５は、第１セットのウェイト部を規定して、ウェイトポート９０５、９１０、９１５、９６５、９７０、９７５、９８０のそれぞれに配置されてもよい。ウェイト部４４０、４４５、４５０、４５５、４６０、４６５、４７０、４７５、４８０は、第２セットのウェイト部を規定して、ウェイトポート９２０、９２５、９３０、９３５、９４０、９４５、９５０、９５５、９６０のそれぞれに配置されてもよい。第４のウェイト配置１８００は、第３の打ち出し軌道プロファイル１４３０（図１４）と関連付けられてもよい。具体的には、第４のウェイト配置１８００は、各人がゴルフクラブヘッド１００をターンオーバーすることを妨げるようにしてもよい（すなわち、フェース部１７５をゴルフボールのインパクトに対してよりオープンにする）。ゴルフクラブヘッド１００のトウ部１５０に向かって比較的重いウェイト部（すなわち、第１セットのウェイト部）を配置することで、ゴルフクラブヘッド１００の重心（ＧＣ）をシャフトの軸から比較的遠くに移動させることができる。第４のウェイト配置１８００は、フェードのゴルフショット（図１９に示すように、例えば、右利きの人にとって、ゴルフボールがターゲット１９１０の左に向かって進み、ターゲットの右に向かって戻るように曲がる軌道又はボールの飛行）になることがある。本明細書に記載の器具、方法、及び製造物は、これに限定されない。
【００８３】
図２０は、本明細書に記載のゴルフクラブヘッド１００を製造する１つの方法を示す図である。図２０の例では、プロセス２０００は、複数のウェイト部を供給することで開始され得る（ブロック２０１０）。複数のウェイト部は、第１セットのウェイト部と第２セットのウェイト部を含んでもよい。第１セットのウェイト部の各ウェイト部は、第１の質量と関連付けられ得る一方で、第２セットのウェイト部の各ウェイト部は、第２の質量と関連付けられ得る。第１の質量は、第２の質量より大きくてもよい。一例では、第１セットのウェイト部の各ウェイト部は、２．６グラムの質量のタングステン系材料で作製され得る一方で、第２セットのウェイト部の各ウェイト部は、０．４グラムの質量のアルミニウム系材料で作製され得る。第１セットのウェイト部は、灰色又は鋼色であり得る一方で、第２セットのウェイト部は、黒色であり得る。
【００８４】
プロセス２０００は、ゴルフクラブヘッドのボディ部を供給してもよい（ブロック２０２０）。ボディ部は、フロント部、リア部、トウ部、ヒール部、トップ部、外面カーブと関連付けられた外面を持つボトム部、及びトップ部とボトム部の間のスカート部を含んでもよい。
【００８５】
プロセス２００は、ボトム部及びスカート部又はそれらの近傍に位置するウェイトポート領域を形成してもよい（ブロック２０３０）。推移領域は、ウェイトポート領域の周りを囲んでもよい。
【００８６】
プロセス２０００は、ウェイトポート領域の周縁に沿って複数のウェイトポートを形成してもよい（ブロック２０４０）。複数のウェイトポートの各ウェイトポートは、ポート径と関連付けられて、複数のウェイト部の少なくとも１つのウェイト部を受けるよう構成されてもよい。隣接する２つのウェイトポートは、ポート径以下で離されてもよい。更に、複数のウェイトポートの各ウェイトポートは、ポート軸と関連付けられてもよい。ポート軸は、ゴルフクラブヘッドのボトム部の外面カーブの接平面に対して垂直又は実質的に垂直であってもよい。
【００８７】
図２０のプロセス２０００の例は、単に、ゴルフクラブヘッド１００を製造する１つの方法の例を図１〜１９と共に提供し、説明している。アクションの特定の順序を図２０に示しているが、これらのアクションは、他の経時的な順番で実行されてもよい。例えば、図２０に示す２以上のアクションは、連続して、同時に、又は一斉に実行されてもよい。図２０は特定の数のブロックを示すが、プロセスは、１以上のブロックを実行しなくてもよい。本明細書に記載の器具、方法、及び製造物は、これに限定されない。
【００８８】
上記の例に示すように、複数のウェイト部１２０及び複数のウェイトポート９００は、概して図４に４９０、９９５として示すように、２つの弧で形成された概してＤ字状のループを画定する経路に沿ってウェイトポート領域２４０の周縁に配置されてもよい。例えば、ウェイト部４０５、４１０、４１５、４２０、４２５、４３０、４３５（図４）、及び、ウェイトポート９０５、９１０、９１５、９２０、９２５、９３０、９３５（図９）は、第１の弧４９０を形成してもよい。具体的には、第１の弧４９０は、頭部１５０とヒール部１６０のそれぞれの間に、ボトム部１４０を横断して設けられてもよい。ウェイト部４４０、４４５、４５０、４５５、４６０、４６５、４７０、４７５、４８０（図４）、及び、ウェイトポート９４０、９４５、９５０、９５５、９６０、９６５、９７０、９８０（図９）は、第２の弧４９５を形成してもよい。第２の弧４９５は、概してボディ部１１０のリア部１８０の輪郭に従ってもよい。あるいは、第１及び第２の弧４９０、４９５は、ボトム部１４０を横断して設けられる他の形状のループを画定してもよい（例えば、概してＯ字状のループ）。本明細書に記載の器具、方法、及び製造物は、これに限定されない。
【００８９】
上記の例は、特定の幾何学的形状に形成された複数のウェイト部１２０及び複数のウェイトポート９００を記載するが、本明細書に記載の器具、方法、および製造物は、他の幾何学的形状に形成されたウェイト部領域の周縁に沿って設けられたウェイト部及びウェイトポートを有してもよい。図２１に戻り、例えば、ゴルフクラブヘッド２１００は、ボトム部２１１０と、複数のウェイトポート２１３０に配置された複数のウェイト部２１２０とを含んでもよい。複数のウェイトポート２１３０は、ボトム部２１１０のウェイトポート領域２１４０の周縁に沿って配置されてもよい（すなわち、複数のウェイトポート２１３０は、トウ部２１１２とヒール部２１１４のそれぞれの間にボトム部２１１０を横断して設けられてもよい）。複数のウェイト部１２０及び複数のウェイトポート９００（例えば、図４、９）とは対照的に、複数のウェイトポート２１３０は、ボトム部２１１０を横断して設けられる、概して２１５０、２１５５として示される、２つの別々の弧を形成してもよい。
【００９０】
第１の弧２１５０は、トウ部２１１２とヒール部２１１４との間に設けられてもよい。第１の弧２１５０は、ゴルフクラブヘッド２１００のフロント部２１７０に向かってカーブしてもよい（すなわち、フロント部２１７０に関連して凹状である）。図２１の例によれば、第１の弧２１５０は、トウ部２１１２の近傍の領域からフロント部２１７０の近傍の領域、及び、フロント部２１７０の近傍の領域からヒール部２１１４の近傍の領域に設けられてもよい（すなわち、フロント部２１７０に関連して凹状である）。したがって、第１の弧２１５０は、トウ部２１１２とヒール部２１１４との間に延びる、ゴルフクラブヘッド２１１０のリア部２１８０に向くＣ字状の弧のように見えてもよい。第２の弧２１５５もまた、トウ部２１１２とヒール部２１１４との間に設けられてもよい。第２の弧２１５５は、ゴルフクラブヘッド２１００のリア部２１８０に向かってカーブしてもよい（すなわち、リア部２１８０に関連して凹状である）。したがって、第２の弧２１５５は、トウ部２１１２とヒール部２１１４との間に延びる、ゴルフクラブヘッド２１１０のフロント部２１７０に向くＣ字状の弧のように見えてもよい。更に、第１の弧２１５０は、第２の弧２１５５よりフロント部２１７０に近くてもよい。第１の弧２１５０と第２の弧２１５５は、第１の弧２１５０と第２の弧２１５５のそれぞれがボトム部２１１０の周縁に沿って離れて設けられるように、別々であってもよい。したがって、ボトム部２１１０は、第１の弧２１５０のウェイトポート２１３０と第２の弧２１５５のウェイトポート２１３０との間でボトム部２１１０の周縁に沿ったギャップ２１９０、２１９２を含んでもよい。ギャップ２１９０及び／又は２１９２は、ギャップ２１９０及び／又は２１９２に隣接するウェイトポート２１３０のようなウェイトポート２１３０のいずれかのポート径以上であってもよい。図２１に示す一例によれば、ギャップ２１９０、２１９２は、ギャップ２１９０、２１９２に隣接するウェイトポート２１３０の直径より桁違いに大きくてもよい。本明細書に記載の器具、方法、及び製造物は、これに限定されない。
【００９１】
図２１を参照すると、例えば、第１の弧２１５０は、特定のゴルフクラブヘッド（例えば、フェアウェイウッド型ゴルフクラブヘッド及び／又はハイブリッド型ゴルフクラブヘッド）に適するように、第２の弧２１５５より多くのウェイトポート２１３０を含んでもよい。あるいは、第２の弧２１５５は、第１の弧２１５０と同じ又はより多くのウェイトポート２１３０を含んでもよい。第１の弧２１５０及び第２の弧２１５５内の各々のウェイトポート２１３０の数、各ウェイトポート２１３０と関連付けられたウェイト部２１２０、隣接するウェイトポート２１３０間の間隔は、ゴルフクラブのタイプ、ゴルフクラブヘッド２１１０の好ましい重量分布、及び／又はゴルフクラブヘッド２１１０の重心位置に基づいて決定されてもよい。
【００９２】
第１の弧２１５０及び／又は第２の弧２１５５のウェイトポート２１３０は、第１の弧２１５０及び／又は第２の弧２１５５のそれぞれに沿って同じ又は略同じ距離で互いに離されてもよい。第１の弧２１５０や第２の弧２１５５のウェイトポート２１３０間、又は、本明細書に記載された任意のウェイトポート間の間隔の変化は、製造精度に関連する製造公差及び／又は費用対効果などの、異なる製造上の検討事項に起因してもよい。例えば、第１の弧２１５０及び／又は第２の弧２１５５のウェイトポート２１３０間の間隔の変化は、１／１６インチから０．００１インチの間であってもよい。本明細書で説明するように、隣接するウェイトポート２１３０間の距離（すなわち、ポート距離）は、隣接する２つのウェイトポートのいずれかのポート径以下であってもよい。複数のウェイトポート２１３０は、ゴルフクラブヘッド２１００の最大トウ−ヒール間クラブヘッド距離２１９５の５０％以上である最大トウ−ヒール間ウェイトポート距離でトウ部２１１２とヒール部２１１４との間に設けられてもよい。最大トウ−ヒール間ウェイトポート距離は、トウ部２１１２から最も遠いウェイトポートのヒール側の境界とヒール部２１１４から最も遠いウェイトポートのトウ側の境界との間の最大距離であってもよい。
【００９３】
具体的には、ゴルフクラブヘッド２１００は、４３０ｃｃ未満の体積を有してもよい。例えば、ゴルフクラブヘッド２１００は、１００ｃｃから４００ｃｃの範囲の体積を有してもよい。別の例では、ゴルフクラブヘッド２１００は、１５０ｃｃから３５０ｃｃの範囲の体積を有してもよい。更に別の例では、ゴルフクラブヘッド２１００は、２００ｃｃから３００ｃｃの範囲の体積を有してもよい。ゴルフクラブヘッド２１００は、１００グラムから３５０グラムの範囲の質量を有してもよい。別の例では、ゴルフクラブヘッド２１００は、１５０グラムから３００グラムの範囲の質量を有してもよい。更に別の例では、ゴルフクラブヘッド２１００は、２００グラムから２５０グラムの範囲の質量を有してもよい。ゴルフクラブヘッド２１００は、１０°から３０°の範囲のロフト角を有してもよい。別の例では、ゴルフクラブヘッド２１００は、１３°から２７°の範囲のロフト角を有してもよい。例えば、ゴルフクラブヘッド２１００は、フェアウェイウッド型ゴルフクラブヘッドであってもよい。あるいは、ゴルフクラブヘッド２１００は、小さめのドライバー型ゴルフクラブヘッドであってもよい（例えば、フェアウェイウッド型ゴルフクラブヘッドより大きいがドライバー型ゴルフクラブヘッドより小さい）。本明細書に記載の器具、方法、及び製造物は、これに限定されない。
【００９４】
図２２に示すように、例えば、ゴルフクラブヘッド２２００は、ボトム部２２１０と、複数のウェイトポート２２３０に配置された複数のウェイト部２２２０とを含んでもよい。ウェイトポート領域２２４０の周縁に沿って配置された複数のウェイトポート２２３０は、ボトム部２２１０を横断して延びる、概して２２５０として示される、弧を画定する経路に沿って配置されてもよい（すなわち、複数のウェイトポート２２３０は、ボトム部２２１０を横断してトウ部２２１２とヒール部２２１４のそれぞれの間に設けられてもよい）。弧２２５０は、ゴルフクラブヘッド２２００のリア部２２８０に向かってカーブしてもよい（すなわち、リア部２２８０に関連して凹状である）。図２２の例によれば、弧２２５０は、トウ部２２１２の近傍の領域からリア部２２８０の近傍の領域、及び、リア部２２８０の近傍の領域からヒール部２２１４の近傍の領域に設けられてもよい（すなわち、リア部２２８０に関連して凹状である）。したがって、弧２２５０は、ヒール部２２１４の近くからトウ部２２１２の近くに延びる、ゴルフクラブヘッド２２１０のフロント部２２７０に向くＣ字状の弧のように見えてもよい。更に、弧２２５０の曲率は、ゴルフクラブヘッド２２１０のリア部２２８０の輪郭と実質的に同様であってもよく、又は概ね従ってもよい。弧２２５０内のウェイトポート２２３０の数、各ウェイトポート２２３０と関連付けられたウェイト部２２２０、隣接するウェイトポート２２３０間の間隔は、ゴルフクラブのタイプ、ゴルフクラブヘッド２２１０の好ましい重量分布、及び／又はゴルフクラブヘッド２２１０の重心位置に基づいて決定されてもよい。
【００９５】
弧２２５０のウェイトポート２２３０は、弧２２５０に沿って同じ又は略同じ距離で互いに離されてもよい（例えば、ウェイトポート２２３０は、実質的に同様な間隔で互いに離されてもよい）。弧２２５０のウェイトポート２２３０間、又は、本明細書に記載された任意のウェイトポート間の間隔の変化は、製造精度に関連する製造公差及び／又は費用対効果などの、異なる製造上の検討事項に起因してもよい。例えば、弧２２５０のウェイトポート２２３０間の間隔の変化は、１／１６インチから０．００１インチの間であってもよい。本明細書で説明するように、隣接するウェイトポート２２３０間の距離（すなわち、ポート距離）は、隣接する２つのウェイトポートのいずれかのポート径以下であってもよい。複数のウェイトポート２２３０は、ゴルフクラブヘッド２２００の最大トウ−ヒール間クラブヘッド距離２２９０の５０％以上である最大トウ−ヒール間ウェイトポート距離でトウ部２２１２とヒール部２２１４との間に設けられてもよい。最大トウ−ヒール間ウェイトポート距離は、トウ部２２１２から最も遠いウェイトポートのヒール側の境界とヒール部２２１４から最も遠いウェイトポートのトウ側の境界との間の最大距離であってもよい。
【００９６】
具体的には、ゴルフクラブヘッド２２００は、２００ｃｃ未満の体積を有してもよい。例えば、ゴルフクラブヘッド２２００は、５０ｃｃから１５０ｃｃの範囲の体積を有してよい。別の例では、ゴルフクラブヘッド２２００は、６０ｃｃから１２０ｃｃの範囲の体積を有してもよい。更に別の例では、ゴルフクラブヘッド２２００は、７０ｃｃから１００ｃｃの範囲の体積を有してもよい。ゴルフクラブヘッド２２００は、１８０グラムから２７５グラムの範囲の質量を有してもよい。別の例では、ゴルフクラブヘッド２２００は、２００グラムから２５０グラムの範囲の質量を有してもよい。ゴルフクラブヘッド２２００は、１５°から３５°の範囲のロフト角を有してもよい。別の例では、ゴルフクラブヘッド２２００は、１７°から３３°の範囲のロフト角を有してもよい。例えば、ゴルフクラブヘッド２２００は、ハイブリッド型ゴルフクラブヘッドであってもよい。本明細書に記載の器具、方法、及び製造物は、これに限定されない。
【００９７】
図２３の例では、ゴルフクラブヘッド２３００は、ボディ部２３１０を含んでもよい。ゴルフクラブヘッド２３００は、本明細書に記載のゴルフクラブヘッドのウェイトポート及びウェイト部のそれぞれと多くの点で類似する複数のウェイトポート（例えば、１つが概して２３２０として示される）及び複数のウェイト部を含んでもよい。従って、ゴルフクラブヘッド２３００のウェイトポート及びウェイト部の詳細な説明は提供されない。あるいは、ゴルフクラブヘッド２３００は、ウェイトポート又はウェイト部を全く含まなくてもよい。ボディ部２３１０は、トップ部２３３０と、ボトム部２３４０と、トウ部（不図示）と、ヒール部（不図示）と、フロント部２３７０と、リア部２３８０とを含んでもよい。ボトム部２３４０は、フロント部２３７０を除くトップ部２３３０とボトム部２３４０の間に、トウ部からリア部２３８０を回ってヒール部に至るゴルフクラブヘッド２３００の周囲を横断して設けられる、ゴルフクラブヘッド２３００のサイド部として規定されたスカート部（不図示）を含んでもよい。ボトム部２３４０は、１以上のウェイトポート領域（不図示）を含んでもよい。例えば、ウェイトポート領域は、複数のウェイト部（不図示）を受けるように複数のウェイトポートを含んでもよく、そのうちの１つが概して２３２０として示される。フロント部２３７０は、ゴルフボール（不図示）に対するフェース部２３７５を含んでもよい。ボディ部２３１０はまた、シャフト（不図示）を受けるホーゼル部（不図示）を含んでもよい。あるいは、ボディ部２３１０は、ホーゼル部（不図示）に代えてボア（不図示）を含んでもよい。例えば、ボディ部２３１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部２３１０は、部分的に又は完全に、セラミック材料、複合材料、それらの任意の組み合わせ、又は他の適切なタイプの材料のような非金属材料で作製されてもよい。
【００９８】
ゴルフクラブヘッド２３００は、３００立方センチメートル（ｃｍ3又はｃｃ）以上のクラブヘッド体積を有してもよい。一例では、ゴルフクラブヘッド２３００は、約４６０ｃｃであってもよい。あるいは、ゴルフクラブヘッド２３００は、３００ｃｃ以下のクラブヘッド体積を有してもよい。具体的には、ゴルフクラブヘッド２３００は、１００ｃｃから２００ｃｃの間のクラブヘッド体積を有してもよい。ゴルフクラブヘッド２３００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド２３００のクラブヘッド体積を測定するために使用することができる。図２３は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。従って、ゴルフクラブヘッド２３００は、本明細書に記載の任意のクラブヘッドのような任意のタイプのクラブヘッドであってもよい。本明細書に記載の器具、方法、及び製造物は、これに限定されない。
【００９９】
ボディ部２３１０は、フロント部２３７０からリア部２３８０、及びトウ部からヒール部に延在する第１の内部キャビティ２３８８を含む中空体であってもよい。ボディ部２３１０は、ボトム部２３４０の近くに又はボトム部２３４０にあり、フロント部２３６０とリア部２３７０の間に延在する第２の内部キャビティ２３９０を含んでもよい。第２の内部キャビティ２３９０は、トップ部２３８０とボトム部２３９０の間に延在してもよい。第１の内部キャビティ２３８８及び第２の内部キャビティ２３９０は、キャビティウォール２３８９によって分離されてもよい。図２３の例では、第２の内部キャビティ２３９０は、ボトムカバー２３９４で覆われたボトム部２３４０の凹部２３９２によって画定されてもよい。従って、図２３の例では、キャビティウォール２３８９は、ボトム部２３４０の凹部２３９２によって画定することができる。ボトムカバー２３９４は、２つが概して２３９６として示される、１以上の留め具でボトム部２３４０に取り付けられてもよい。従って、ボトム２３４０の凹部２３９２とボトムカバー２３９４の間の空間は、第２の内部キャビティ２３９０を画定することができる。
【０１００】
一例では、第２の内部キャビティ２３９０は、無充填（すなわち、空の空間）であってもよい。あるいは、第２の内部キャビティ２３９０は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。例えば、第２の内部キャビティ２３９０の少なくとも５０％は、ゴルフクラブヘッド２３００がフェース部２３７５を介してゴルフボールを打つときに、衝撃を吸収し、振動を分離し、及び／又はノイズを減衰するように、ＴＰＥ材料で充填されてもよい。本明細書に記載の器具、方法、及び製造物は、これに限定されない。
【０１０１】
一例では、内部キャビティは、ボトム部２３４０の凹部２３９２を弾性ポリマー又はエラストマー材料（例えば、２３９８として示される）で充填し、その後に凹部２３９２を覆うボトムカバー２３９４を留め具２３９６で取り付けることによって、弾性ポリマー又はエラストマー材料で充填されもよい。あるいは、ボトムカバー２３９４は、最初に凹部２３９２を覆って配置され、その後に留め具２３９６の１つでボトム部２３４０に取り付けられてもよい。次いで、弾性ポリマー又はエラストマー材料は、ボトムカバー２３９４のための留め具２３９６の留め具ポート又は別の１つを通じて、内部キャビティ２３９２に注入されてもよい。内部キャビティ２３９２が充填された後、ボトムカバー２３９４のための全ての留め具は、凹部２３９２を覆うボトムカバー２３９４を完全に取り付けるように固定されてもよい。更にあるいは、後述する方法を含む本明細書に記載の方法の組み合わせは、弾性ポリマー又はエラストマー材料を内部キャビティ２３９２に充填するのに使用されてもよい。本明細書に記載の器具、方法、及び製造物は、これに限定されない。
【０１０２】
図２４の例では、ゴルフクラブヘッド２４００は、ボディ部２４１０を含んでもよい。ゴルフクラブヘッド２４００は、本明細書に記載のゴルフクラブヘッドのウェイトポート及びウェイト部のそれぞれと多くの点で類似する複数のウェイトポート（例えば、１つが概して２３２０として示される）及び複数のウェイト部を含んでもよい。従って、ゴルフクラブヘッド２４００のウェイトポート及びウェイト部の詳細な説明は提供されない。あるいは、ゴルフクラブヘッド２４００は、ウェイトポート又はウェイト部を全く含まなくてもよい。ボディ部２４１０は、トップ部２４３０と、ボトム部２４４０と、トウ部（不図示）と、ヒール部（不図示）と、フロント部２４７０と、リア部２４８０とを含んでもよい。ボトム部２４４０は、フロント部２４７０を除くトップ部２４３０とボトム部２４４０の間に、トウ部からリア部２４８０を回ってヒール部に至るゴルフクラブヘッド２４００の周囲を横断して設けられる、ゴルフクラブヘッド２４００のサイド部として規定されたスカート部（不図示）を含んでもよい。ボトム部２４４０は、１以上のウェイトポート領域（不図示）を含んでもよい。例えば、ウェイトポート領域は、複数のウェイト部（不図示）を受けるように複数のウェイトポートを含んでもよく、そのうちの１つが概して２４２０として示される。フロント部２４７０は、ゴルフボール（不図示）に対するフェース部２４７５を含んでもよい。ボディ部２４１０はまた、シャフト（不図示）を受けるホーゼル部（不図示）を含んでもよい。あるいは、ボディ部２４１０は、ホーゼル部（不図示）に代えてボア（不図示）を含んでもよい。例えば、ボディ部２４１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部２３１０は、部分的に又は完全に、セラミック材料、複合材料、それらの任意の組み合わせ、又は他の適切なタイプの材料のような非金属材料で作製されてもよい。
【０１０３】
ゴルフクラブヘッド２４００は、３００立方センチメートル（ｃｍ3又はｃｃ）以上のクラブヘッド体積を有してもよい。一例では、ゴルフクラブヘッド２４００は、約４６０ｃｃであってもよい。あるいは、ゴルフクラブヘッド２４００は、３００ｃｃ以下のクラブヘッド体積を有してもよい。具体的には、ゴルフクラブヘッド２４００は、１００ｃｃから２００ｃｃの間のクラブヘッド体積を有してもよい。ゴルフクラブヘッド２４００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド２４００のクラブヘッド体積を測定するために使用することができる。図２４は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。従って、ゴルフクラブヘッド２４００は、本明細書に記載のクラブヘッドのような任意のタイプのクラブヘッドであってもよい。本明細書に記載の器具、方法、及び製造物は、これに限定されない。
【０１０４】
ボディ部２４１０は、ボトム部２４４０の近くに又はボトム部２４４０にあり、フロント部２４６０とリア部２４７０の間に延在する内部キャビティ２４９０を含む中空体であってもよい。内部キャビティ２４９０は、トップ部２４８０とボトム部２４９０の間に延在してもよい。一例では、内部キャビティ２４９０は、無充填（すなわち、空の空間）であってもよい。あるいは、内部キャビティ２４９０は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。例えば、内部キャビティ２４９０の少なくとも５０％は、ゴルフクラブヘッド２４００がフェース部２４７５を介してゴルフボールを打つときに、衝撃を吸収し、振動を分離し、及び／又はノイズを減衰するように、ＴＰＥ材料で充填されてもよい。本明細書に記載の器具、方法、及び製造物は、これに限定されない。
【０１０５】
一例では、内部キャビティは、２４２０として示されるウェイトポートのようなウェイトポートの少なくとも１つを通じて、弾性ポリマー又はエラストマー材料で充填されてもよい。図２４に示すように、例えば、ゴルフクラブヘッド２４００は、第１開口部２４２２及び第２開口部２４２４を持つ１以上のウェイトポート（例えば、１つが２４２０として示される）を含んでもよい。第２開口部２４２４は、内部ポート２４２６の導管を通じて内部キャビティ２４９０にアクセスするために用いられてもよい。一例では、内部キャビティ２４９０は、第１開口部２４２２から第２開口部２４２４を介して内部ポート２４２６を通じて内部キャビティ２４９０に弾性ポリマー材料を注入することで、弾性ポリマー材料（例えば、概して２４９８として示される）で充填されてもよい。第１及び第２開口部２４２２、２４２４は、それぞれ、サイズ及び／又は形状が同じでもよく、異なってもよい。上記の例は第２開口部を持つ特定のウェイトポートを示して説明したが、ゴルフクラブヘッド２４００の他の任意のウェイトポート（不図示）が第２開口部を含んでもよい。本明細書に記載の器具、方法、及び製造物は、これに限定されない。
【０１０６】
図２５及び２６の例では、ゴルフクラブヘッド２５００は、ボディ部２５１０を含んでもよい。ゴルフクラブヘッド２５００は、本明細書に記載のゴルフクラブヘッドのウェイトポート及びウェイト部のそれぞれと多くの点で類似する複数のウェイトポート（例えば、１つが概して２５２０として示される）及び複数のウェイト部を含んでもよい。従って、ゴルフクラブヘッド２５００のウェイトポート及びウェイト部の詳細な説明は提供されない。あるいは、ゴルフクラブヘッド２５００は、ウェイトポート又はウェイト部を全く含まなくてもよい。ボディ部２５１０は、トップ部２５３０と、ボトム部２５４０と、トウ部２５５０と、ヒール部２５６０と、フロント部２５７０と、リア部２５８０とを含んでもよい。ボトム部２５４０は、フロント部２５７０を除くトップ部２５３０とボトム部２５４０の間に、トウ部からリア部２５８０を回ってヒール部２５６０に至るゴルフクラブヘッド２５００の周囲を横断して設けられる、ゴルフクラブヘッド２５００のサイド部として規定されたスカート部（不図示）を含んでもよい。ボトム部２５４０は、１以上のウェイトポート領域（不図示）を含んでもよい。例えば、ウェイトポート領域は、複数のウェイト部（不図示）を受けるように複数のウェイトポートを含んでもよく、そのうちの１つが概して２５２０として示される。フロント部２５７０は、ゴルフボール（不図示）に対するフェース部２５７５を含んでもよい。ボディ部２５１０はまた、シャフト（不図示）を受けるホーゼル部２５６５を含んでもよい。あるいは、ボディ部２５１０は、ホーゼル部２５６５に代えてボア（不図示）を含んでもよい。例えば、ボディ部２５１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部２５１０は、部分的に又は完全に、セラミック材料、複合材料、それらの任意の組み合わせ、又は他の適切なタイプの材料のような非金属材料で作製されてもよい。
【０１０７】
ゴルフクラブヘッド２５００は、３００立方センチメートル（ｃｍ3又はｃｃ）以上のクラブヘッド体積を有してもよい。一例では、ゴルフクラブヘッド２５００は、約４６０ｃｃであってもよい。あるいは、ゴルフクラブヘッド２５００は、３００ｃｃ以下のクラブヘッド体積を有してもよい。具体的には、ゴルフクラブヘッド２５００は、１００ｃｃから２００ｃｃの間のクラブヘッド体積を有してもよい。ゴルフクラブヘッド２５００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド２５００のクラブヘッド体積を測定するために使用することができる。図２５及び２６は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。従って、ゴルフクラブヘッド２５００は、本明細書に記載のクラブヘッドのような任意のタイプのクラブヘッドであってもよい。本明細書に記載の器具、方法、及び製造物は、これに限定されない。
【０１０８】
ボディ部２５１０は、トップ部２５３０とフロント部２５７０の間の推移領域、ボトム部２５４０とフロント部２５７０の間の推移領域、トウ部２５５０とフロント部２５７０の間の推移領域、及び／又はヒール部２５６０とフロント部２５７０の間の推移領域にある、１以上の内部キャビティ２５９０を含む中空体であってもよい。図２５及び２６では、ボディ部２５１０は、概して内部キャビティ２５９１及び２５９２として示される、２つの内部キャビティを含んでもよい。内部キャビティ２５９１は、トップ部２５３０とフロント部２５７０の間に延在してもよい。内部キャビティ２５９１は、トップ部２５３０とフロント部２５７０の間の推移領域にあってもよい。内部キャビティ２５９２は、ボトム部２５４０とフロント部２５７０の間に延在してもよい。内部キャビティ２５９２は、ボトム部２５４０とフロント部２５７０の間の推移領域にあってもよい。一例では、内部キャビティ２５９１及び２５９２のいずれか一方又は両方は、無充填（すなわち、空の空間）であってもよい。あるいは、内部キャビティ２５９１及び２５９２は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。弾性ポリマー又はエラストマー材料は、概して２５９５として示される。例えば、内部キャビティ２５９１及び２５９２の少なくとも５０％は、ゴルフクラブヘッド２５００がフェース部２５７５を介してゴルフボールを打つときに、衝撃を吸収し、振動を分離し、及び／又はノイズを減衰するように、ＴＰＥ材料で充填されてもよい。内部キャビティ２５９１及び２５９２を少なくとも部分的に又は充填すると、ゴルフボールを打つときに各人に与えるゴルフクラブの感触及び音を変えることもできる。エラストマー材料はまた、内部キャビティ２５９１及び２５９２の近くのボディ部２５１０に対する構造的支持を提供することができる。弾性ポリマー材料は、ボディ部の隣接部分に対する構造的支持を提供できる非発泡及び射出成型可能なエラストマー材料であってもよい。本明細書に記載の器具、方法、及び製造物は、これに限定されない。
【０１０９】
一例では、内部キャビティ２５９１及び２５９２は、２５２０として示されるウェイトポートのようなウェイトポートの少なくとも１つを通じて、弾性ポリマー又はエラストマー材料で充填されてもよい。例えば、ウェイトポート２５２０は、ウェイトポート２５２０を内部キャビティ２５９１に接続する内部ポート２５２６を含んでもよい。内部キャビティ２５９１及び２５９２はまた、ホーゼル部２５６５を通じて、弾性ポリマー又はエラストマー材料で充填されてもよい。あるいは、ボディ部２５１０は、内部キャビティ２５９１及び２５９２の近くに１以上の開口部（不図示）を含んでもよい。弾性ポリマー又はエラストマー材料は、１以上の開口部を通じて、内部キャビティ２５９１及び２５９２に充填されてもよい。次に、開口部は、内部キャビティ２５９１及び２５９２に弾性ポリマー又はエラストマー材料を注入するプロセスが完了した後に、閉じられてもよい。本明細書に記載の器具、方法、及び製造物は、これに限定されない。
【０１１０】
図２７及び２８の例では、ゴルフクラブヘッド２７００は、ボディ部２７１０を含んでもよい。ゴルフクラブヘッド２７００は、本明細書に記載のゴルフクラブヘッドのウェイトポート及びウェイト部のそれぞれと多くの点で類似する複数のウェイトポート（例えば、１つが概して２７２０として示される）及び複数のウェイト部を含んでもよい。従って、ゴルフクラブヘッド２７００のウェイトポート及びウェイト部の詳細な説明は提供されない。あるいは、ゴルフクラブヘッド２７００は、ウェイトポート又はウェイト部を全く含まなくてもよい。ボディ部２７１０は、トップ部２７３０と、ボトム部２７４０と、トウ部２７５０と、ヒール部２７６０と、フロント部２７７０と、リア部２７８０とを含んでもよい。ボトム部２７４０は、フロント部２７７０を除くトップ部２７３０とボトム部２７４０の間に、トウ部からリア部２７８０を回ってヒール部２７６０に至るゴルフクラブヘッド２７００の周囲を横断して設けられる、ゴルフクラブヘッド２７００のサイド部として規定されたスカート部（不図示）を含んでもよい。ボトム部２７４０は、１以上のウェイトポート領域（不図示）を含んでもよい。例えば、ウェイトポート領域は、複数のウェイト部（不図示）を受けるように複数のウェイトポートを含んでもよく、そのうちの１つが概して２７２０として示される。フロント部２７７０は、ゴルフボール（不図示）に対するフェース部２７７５を含んでもよい。ボディ部２７１０はまた、シャフト（不図示）を受けるホーゼル部２７６５を含んでもよい。あるいは、ボディ部２７１０は、ホーゼル部２７６５に代えてボア（不図示）を含んでもよい。例えば、ボディ部２７１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部２７１０は、部分的に又は完全に、セラミック材料、複合材料、それらの任意の組み合わせ、又は他の適切なタイプの材料のような非金属材料で作製されてもよい。
【０１１１】
ゴルフクラブヘッド２７００は、３００立方センチメートル（ｃｍ3又はｃｃ）以上のクラブヘッド体積を有してもよい。一例では、ゴルフクラブヘッド２７００は、約４６０ｃｃであってもよい。あるいは、ゴルフクラブヘッド２７００は、３００ｃｃ以下のクラブヘッド体積を有してもよい。具体的には、ゴルフクラブヘッド２７００は、１００ｃｃから２００ｃｃの間のクラブヘッド体積を有してもよい。ゴルフクラブヘッド２７００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド２７００のクラブヘッド体積を測定するために使用することができる。図２７及び２８は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。従って、ゴルフクラブヘッド２７００は、本明細書に記載のクラブヘッドのような任意のタイプのクラブヘッドであってもよい。本明細書に記載の器具、方法、及び製造物は、これに限定されない。
【０１１２】
ボディ部２７１０は、トップ部２７３０とフロント部２７７０の間の推移領域、トウ部２７５０とフロント部２７７０の間の推移領域、ボトム部２７４０とフロント部２７７０の間の推移領域、及び／又はヒール部２７６０とフロント部２７７０の間の推移領域にある、１以上の内部キャビティ２７９０を含む中空体であってもよい。図２５及び２７では、ボディ部２７１０は、トップ部２７３０、ボトム部２７４０、トウ部２７５０、ヒール部２７６０、フロント部２７７０の間の推移領域においてフロント部２７７０の全周の近くに延在する内部キャビティ２７９０を含んでもよい。従って、図２８に示すように、内部キャビティ２７９０は、概してフロント部２７７０の周囲と同様な形状を持つループに似ていてもよい。
【０１１３】
一例では、内部キャビティ２７９０は、無充填（すなわち、空の空間）であってもよい。あるいは、内部キャビティ２７９０は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。弾性ポリマー又はエラストマー材料は、概して２７９５として示される。例えば、内部キャビティ２７９０の少なくとも５０％は、ゴルフクラブヘッド２７００がフェース部２７７５を介してゴルフボールを打つときに、衝撃を吸収し、振動を分離し、及び／又はノイズを減衰するように、ＴＰＥ材料で充填されてもよい。内部キャビティ２７９０を少なくとも部分的に又は充填すると、ゴルフボールを打つときに各人に与えるゴルフクラブの感触及び音を変えることもできる。エラストマー材料はまた、内部キャビティ２７９０の近くのボディ部２７１０に対する構造的支持を提供することができる。弾性ポリマー材料は、ボディ部の隣接部分に対する構造的支持を提供できる非発泡及び射出成型可能なエラストマー材料であってもよい。本明細書に記載の器具、方法、及び製造物は、これに限定されない。
【０１１４】
一例では、内部キャビティ２７９０は、２７２０として示されるウェイトポートのようなウェイトポートの少なくとも１つを通じて、弾性ポリマー又はエラストマー材料で充填されてもよい。例えば、ウェイトポート２７２０は、ウェイトポート２７２０を内部キャビティ２７９０に接続する内部ポート２７２６を含んでもよい。内部キャビティ２７９０はまた、ホーゼル部２７６５を通じて、弾性ポリマー又はエラストマー材料で充填されてもよい。あるいは、ボディ部２７１０は、内部キャビティ２７９０の近くに１以上の開口部（不図示）を含んでもよい。弾性ポリマー又はエラストマー材料は、１以上の開口部を通じて、内部キャビティ２７９０に充填されてもよい。次に、開口部は、内部キャビティ２７９０に弾性ポリマー又はエラストマー材料を注入するプロセスが完了した後に、閉じられてもよい。本明細書に記載の器具、方法、及び製造物は、これに限定されない。
【０１１５】
図２９及び３０の例では、ゴルフクラブヘッド２９００は、ボディ部２９１０を含んでもよい。ゴルフクラブヘッド２９００は、本明細書に記載のゴルフクラブヘッドのウェイトポート及びウェイト部のそれぞれと多くの点で類似する複数のウェイトポート（例えば、１つが概して２９２０として示される）及び複数のウェイト部を含んでもよい。従って、ゴルフクラブヘッド２９００のウェイトポート及びウェイト部の詳細な説明は提供されない。あるいは、ゴルフクラブヘッド２９００は、ウェイトポート又はウェイト部を全く含まなくてもよい。ボディ部２９１０は、トップ部２９３０と、ボトム部２９４０と、トウ部２９５０と、ヒール部２９６０と、フロント部２９７０と、リア部２９８０とを含んでもよい。ボトム部２９４０は、フロント部２９７０を除くトップ部２９３０とボトム部２９４０の間に、トウ部からリア部２９８０を回ってヒール部２９６０に至るゴルフクラブヘッド２９００の周囲を横断して設けられる、ゴルフクラブヘッド２９００のサイド部として規定されたスカート部（不図示）を含んでもよい。ボトム部２９４０は、１以上のウェイトポート領域（不図示）を含んでもよい。例えば、ウェイトポート領域は、複数のウェイト部（不図示）を受けるように複数のウェイトポートを含んでもよく、そのうちの１つが概して２９２０として示される。フロント部２９７０は、ゴルフボール（不図示）に対するフェース部２９７５を含んでもよい。ボディ部２９１０はまた、シャフト（不図示）を受けるホーゼル部（不図示）を含んでもよい。あるいは、ボディ部２９１０は、ホーゼル部に代えてボア（不図示）を含んでもよい。例えば、ボディ部２９１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部２９１０は、部分的に又は完全に、セラミック材料、複合材料、それらの任意の組み合わせ、又は他の適切なタイプの材料のような非金属材料で作製されてもよい。
【０１１６】
ゴルフクラブヘッド２９００は、３００立方センチメートル（ｃｍ3又はｃｃ）以上のクラブヘッド体積を有してもよい。一例では、ゴルフクラブヘッド２９００は、約４６０ｃｃであってもよい。あるいは、ゴルフクラブヘッド２９００は、３００ｃｃ以下のクラブヘッド体積を有してもよい。具体的には、ゴルフクラブヘッド２９００は、１００ｃｃから２００ｃｃの間のクラブヘッド体積を有してもよい。ゴルフクラブヘッド２９００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド２９００のクラブヘッド体積を測定するために使用することができる。図２９及び３０は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。従って、ゴルフクラブヘッド２９００は、本明細書に記載のクラブヘッドのような任意のタイプのクラブヘッドであってもよい。本明細書に記載の器具、方法、及び製造物は、これに限定されない。
【０１１７】
ボディ部２９１０は、ボトム部２９４０に又はその近くにある、及び／又は、ボトム部２９４０とフロント部２９７０の間の推移領域、ボトム部２９４０とトウ部２９５０の間の推移領域、ボトム部２９４０とヒール部２９６０の間の推移領域、及び／又はボトム部２９４０とリア部２９８０の間の推移領域にある、１以上の内部キャビティ２９９０を含む中空体であってもよい。図２９及び３０では、ボディ部２９１０は、概して内部キャビティ２９９１及び２９９２として示される、２つの内部キャビティを含んでもよい。内部キャビティ２９９１は、ウェイトポート２９２０とフロント部２９７０の間のボトム部又はその近傍で、トウ部２９５０とヒール部２９６０の間に延在してもよい。内部キャビティ２９９２は、ウェイトポート２９２０とリア部２９８０の間のボトム部又はその近傍で、トウ部２９５０とヒール部２９６０の間に延在してもよい。一例では、内部キャビティ２９９１及び２９９２のいずれか一方又は両方は、無充填（すなわち、空の空間）であってもよい。あるいは、内部キャビティ２９９１及び２９９２は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。弾性ポリマー又はエラストマー材料は、概して２９９５として示される。例えば、内部キャビティ２９９１及び２９９２の少なくとも５０％は、ゴルフクラブヘッド２９００がフェース部２９７５を介してゴルフボールを打つときに、衝撃を吸収し、振動を分離し、及び／又はノイズを減衰するように、ＴＰＥ材料で充填されてもよい。内部キャビティ２９９１及び２９９２を少なくとも部分的に又は充填すると、ゴルフボールを打つときに各人に与えるゴルフクラブの感触及び音を変えることもできる。エラストマー材料はまた、内部キャビティ２９９１及び２９９２の近くのボディ部２９１０に対する構造的支持を提供することができる。弾性ポリマー材料は、ボディ部の隣接部分に対する構造的支持を提供できる非発泡及び射出成型可能なエラストマー材料であってもよい。本明細書に記載の器具、方法、及び製造物は、これに限定されない。
【０１１８】
一例では、内部キャビティ２９９１及び２９９２は、２９２０として示されるウェイトポートのようなウェイトポートの少なくとも１つを通じて、弾性ポリマー又はエラストマー材料で充填されてもよい。例えば、フロント部２９７０の近くにある図３０に示されたウェイトポート２９２０は、ウェイトポート２９２０を内部キャビティ２９９１に接続する内部ポート２９２６を含んでもよい。あるいは、ボディ部２９１０は、内部キャビティ２９９１及び２９９２の近くに１以上の開口部（不図示）を含んでもよい。弾性ポリマー又はエラストマー材料は、１以上の開口部を通じて内部キャビティ２９９１及び２９９２に注入されてもよい。次に、開口部は、内部キャビティ２９９１及び２９９２に弾性ポリマー又はエラストマー材料を注入するプロセスが完了した後に、閉じられてもよい。本明細書に記載の器具、方法、及び製造物は、これに限定されない。
【０１１９】
図３１及び３２の例では、ゴルフクラブヘッド３１００は、ボディ部３１１０を含んでもよい。ゴルフクラブヘッド３１００は、本明細書に記載のゴルフクラブヘッドのウェイトポート及びウェイト部のそれぞれと多くの点で類似する複数のウェイトポート（例えば、１つが概して３１２０として示される）及び複数のウェイト部を含んでもよい。従って、ゴルフクラブヘッド３１００のウェイトポート及びウェイト部の詳細な説明は提供されない。あるいは、ゴルフクラブヘッド３１００は、ウェイトポート又はウェイト部を全く含まなくてもよい。ボディ部３１１０は、トップ部３１３０と、ボトム部３１４０と、トウ部３１５０と、ヒール部３１６０と、フロント部３１７０と、リア部３１８０とを含んでもよい。ボトム部３１４０は、フロント部３１７０を除くトップ部３１３０とボトム部３１４０の間に、トウ部からリア部３１８０を回ってヒール部３１６０に至るゴルフクラブヘッド３１００の周囲を横断して設けられる、ゴルフクラブヘッド３１００のサイド部として規定されたスカート部（不図示）を含んでもよい。ボトム部３１４０は、１以上のウェイトポート領域（不図示）を含んでもよい。例えば、ウェイトポート領域は、複数のウェイト部（不図示）を受けるように複数のウェイトポートを含んでもよく、そのうちの１つが概して３１２０として示される。フロント部３１７０は、ゴルフボール（不図示）に対するフェース部３１７５を含んでもよい。ボディ部３１１０はまた、シャフト（不図示）を受けるホーゼル部（不図示）を含んでもよい。あるいは、ボディ部３１１０は、ホーゼル部に代えてボア（不図示）を含んでもよい。例えば、ボディ部３１１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部３１１０は、部分的に又は完全に、セラミック材料、複合材料、それらの任意の組み合わせ、又は他の適切なタイプの材料のような非金属材料で作製されてもよい。
【０１２０】
ゴルフクラブヘッド３１００は、３００立方センチメートル（ｃｍ3又はｃｃ）以上のクラブヘッド体積を有してもよい。一例では、ゴルフクラブヘッド３１００は、約４６０ｃｃであってもよい。あるいは、ゴルフクラブヘッド３１００は、３００ｃｃ以下のクラブヘッド体積を有してもよい。具体的には、ゴルフクラブヘッド３１００は、１００ｃｃから２００ｃｃの間のクラブヘッド体積を有してもよい。ゴルフクラブヘッド３１００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド３１００のクラブヘッド体積を測定するために使用することができる。図３１及び３２は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。従って、ゴルフクラブヘッド３１００は、本明細書に記載のクラブヘッドのような任意のタイプのクラブヘッドであってもよい。本明細書に記載の器具、方法、及び製造物は、これに限定されない。
【０１２１】
ボディ部３１１０は、フロント部３１７０、トウ部３１５０、ヒール部３１６０及びリア部３１８０の間でボトム部３１４０に又はその近くにある、１以上の内部キャビティ３１９０を含む中空体であってもよい。図３１及び３２では、ボディ部３１１０は、ボトム部又はその近くにあって、ウェイト部３１２０の周りにループ状に延在する内部キャビティ３１９０を含んでもよい。一例では、内部キャビティ３１９０は、無充填（すなわち、空の空間）であってもよい。あるいは、内部キャビティ３１９０は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。弾性ポリマー又はエラストマー材料は、概して３１９５として示される。例えば、内部キャビティ３１９０の少なくとも５０％は、ゴルフクラブヘッド３１００がフェース部３１７５を介してゴルフボールを打つときに、衝撃を吸収し、振動を分離し、及び／又はノイズを減衰するように、ＴＰＥ材料で充填されてもよい。内部キャビティ３１９０を少なくとも部分的に又は充填すると、ゴルフボールを打つときに各人に与えるゴルフクラブの感触及び音を変えることもできる。エラストマー材料はまた、内部キャビティ３１９０の近くのボディ部３１１０に対する構造的支持を提供することができる。弾性ポリマー材料は、ボディ部の隣接部分に対する構造的支持を提供できる非発泡及び射出成型可能なエラストマー材料であってもよい。本明細書に記載の器具、方法、及び製造物は、これに限定されない。
【０１２２】
一例では、内部キャビティ３１９０は、ウェイトポート３１２０の少なくとも１つを通じて、弾性ポリマー又はエラストマー材料で充填されてもよい。例えば、フロント部３１７０の近くにある図３２に示されたウェイトポート３１２０は、ウェイトポート３１２０を内部キャビティ３１９０に接続する内部ポート３１２６を含んでもよい。あるいは、ボディ部３１１０は、内部キャビティ３１９０の近くに１以上の開口部（不図示）を含んでもよい。弾性ポリマー又はエラストマー材料は、１以上の開口部を通じて内部キャビティ３１９０に注入されてもよい。次に、開口部は、内部キャビティ３１９０に弾性ポリマー又はエラストマー材料を注入するプロセスが完了した後に、閉じられてもよい。本明細書に記載の器具、方法、及び製造物は、これに限定されない。
【０１２３】
ゴルフクラブヘッドは、内部キャビティ２５９０、２７９０、２９９０及び３１９０のいずれか１つ又は組み合わせを含んでもよい。例えば、ゴルフクラブヘッドは、内部キャビティ２５９０及び２９９０を含んでもよい。別の例では、ゴルフクラブヘッドは、内部キャビティ２７９０及び３１９０を含んでもよい。本明細書で提供される実施例では、内部キャビティは、特定の構造を有することが示されている。しなしながら、内部キャビティは、任意の構造を有してもよい。例えば、内部キャビティ２５９１及び／又は２５９２は、図２６に示されるよりも短い長さでトウ部２５４０とヒール部２５９０の間に延在してもよい。別の例では、ボディ部２５１０は、トップ２５３０とフロント２５７０の間の推移領域、ボトム部２５５０とフロント部２５７０の間の推移領域、トウ部２５５０とフロント２５７０の間の推移領域、及び／又はヒール部２５６０とフロント２５７０の間の推移領域にある、類似又は異なる構造の複数の別個の内部キャビティを含んでもよい。別の例では、本明細書に記載のいずれか１つのウェイトポートは、本明細書に記載のいずれか１つの内部キャビティに延在してもよい。従って、そのようなウェイトポートは、対応する内部キャビティが弾性ポリマー材料で充填された場合に、部分的に又は完全に弾性ポリマー材料で取り囲まれてもよい。本明細書に記載の器具、方法、及び製造物は、これに限定されない。
【０１２４】
図３３−４１の例では、ゴルフクラブヘッド３３００は、ボディ部３３１０を含んでもよい。ゴルフクラブヘッド３３００は、本明細書に記載のゴルフクラブヘッドのウェイトポート及びウェイト部のそれぞれと多くの点で類似する複数のウェイトポート（例えば、１つが概して３３２０として示される）及び複数のウェイト部を含んでもよい。従って、ゴルフクラブヘッド３３００のウェイトポート及びウェイト部の詳細な説明は提供されない。あるいは、ゴルフクラブヘッド３３００は、ウェイトポート又はウェイト部を全く含まなくてもよい。ボディ部３３１０は、トップ部３３３０と、ボトム部３３４０と、トウ部３３５０と、ヒール部３３６０と、フロント部３３７０と、リア部３３８０とを含んでもよい。ボトム部３３４０は、フロント部３３７０を除くトップ部３３３０とボトム部３３４０の間に、トウ部３３５０からリア部３３８０を回ってヒール部３３６０に至るゴルフクラブヘッド３３００の周囲を横断して設けられる、ゴルフクラブヘッド３３００のサイド部として規定されたスカート部（不図示）を含んでもよい。
【０１２５】
ボトム部３３４０は、概して第１のウェイトポート領域３３４２及び第２のウェイトポート領域３３４４として示される、１以上のウェイトポート領域を含んでもよい。例えば、第１及び第２のウェイトポート領域３３４２、３３４４の各々は、それぞれ、複数のウェイト部を受けるように複数のウェイトポートを含んでもよく、そのうちの１つが概して３３２０として示される。フロント部３３７０は、ゴルフボール（不図示）に対するフェース部３３７５を含んでもよい。ボディ部３３１０はまた、シャフト（不図示）を受けるホーゼル部３３６５を含んでもよい。あるいは、ボディ部３３１０は、ホーゼル部３３６５に代えてボア（不図示）を含んでもよい。例えば、ボディ部３３１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部３３１０は、部分的に又は完全に、セラミック材料、複合材料、それらの任意の組み合わせ、又は他の適切なタイプの材料のような非金属材料で作製されてもよい。
【０１２６】
ゴルフクラブヘッド３３００は、３００立方センチメートル（ｃｍ3又はｃｃ）以上のクラブヘッド体積を有してもよい。一例では、ゴルフクラブヘッド３３００は、約４６０ｃｃであってもよい。あるいは、ゴルフクラブヘッド３３００は、３００ｃｃ以下のクラブヘッド体積を有してもよい。具体的には、ゴルフクラブヘッド３３００は、１００ｃｃから２００ｃｃの間のクラブヘッド体積を有してもよい。ゴルフクラブヘッド３３００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド３３００のクラブヘッド体積を測定するために使用することができる。図３３は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。従って、ゴルフクラブヘッド３３００は、本明細書に記載のクラブヘッドのような任意のタイプのクラブヘッドであってもよい。本明細書に記載の器具、方法、及び製造物は、これに限定されない。
【０１２７】
ボディ部３３１０は、第１の内部キャビティ３３８５及び第２の内部キャビティ３３９０を含む中空体であってもよい。第１の内部キャビティ３３８５及び第２の内部キャビティ３３９０は、ボディ部３３１０の体積を実質的に画定する第１の内部キャビティと共に、概してボディ部３３１０の体積を画定してもよい。従って、第１の内部キャビティ３３８５は、第２の内部キャビティ３３９０より実質的に大きくてもよい。あるいは、第１の内部キャビティ３３８５は、第２の内部キャビティ３３がボトム部３３４０の凹部と考えられる場合に、ボディ部３３１０の体積を画定してもよい。
【０１２８】
第２の内部キャビティ３３９０は、ボトム部３３４０の近く又はボトム部３３４０にあり、フロント部３３６０とリア部３３７０の間に延在してもよい。第２の内部キャビティ３３９０は、トップ部３３８０とボトム部３３９０の間に延在してもよい。第２の内部キャビティ３３９０は、ボトムカバー３３９４で覆われるボトム部３３４０の凹部３３９２によって画定されてもよい。ボトム部３３４０の凹部３３９２とボトムカバー３３９４の間の空間は、第２の内部キャビティ３３９０を画定してもよい。従って、ボトム部３３４０の一部は、第１の内部キャビティ３３８５と第２の内部キャビティ３３９０の間にあってもよい。あるいは、第２の内部キャビティ３３９０がボディ部３３１０の全体積の一部と考えられるように、ボトムカバー３３９４は、ボトム部３３４０の一部と考えることができる。第２の内部キャビティ３３９０は、ボトム部３３１０の任意の位置にあってもよい。
【０１２９】
一例では、第２の内部キャビティ３３９０は、フロント部３３７０の近くにあって、トウ部３３５０とヒール部３３７０の間に延びる長さ、及びゴルフボールに対する又は打つフェース部３３７５の部分以上の長さを有してもよい。従って、第２の内部キャビティ３３９０は、フェース部３３７５の近傍及び裏側に配置されてもよい。一例では、第２の内部キャビティ３３９０は、任意の形状、構造、長さ及び／又は幅を有してもよい。
【０１３０】
一例では、第２の内部キャビティ３３９０は、無充填（すなわち、空の空間）であってもよい。あるいは、第２の内部キャビティ３３９０は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。例えば、第２の内部キャビティ３３９０の少なくとも５０％は、ゴルフクラブヘッド３３００がフェース部３３７５を介してゴルフボールを打つときに、衝撃を吸収し、振動を分離し、及び／又はノイズを減衰するように、ＴＰＥ材料で充填されてもよい。本明細書に記載したように、第２の内部キャビティ３３９０は、フェース部３３７５の近く及び裏側にあってもよい。フェース部３３７５がゴルフボールを打つときに、フェース部３３７５からボディ部３３１０の残りに伝搬するように発生する振動は、第２の内部キャビティ３３９０及び／又は第２の内部キャビティ３３９０に充填された材料によって、少なくとも部分的に吸収及び減衰させることができる。従って、第２の内部キャビティ３３９０は、振動及びノイズ減衰を提供することができる。更に、第２の内部キャビティは、各人に好ましい音及び感触を提供することができる。第２の内部キャビティ３３９０は、本明細書に記載したような振動及びノイズ減衰の機能を提供するように任意の形状を有してもよい。例えば、第２の内部キャビティ３３９０は、長方形、三角形又は多角形の形状を有してもよい。更に、第２の内部キャビティ３３９０の長さ及び幅は、本明細書に記載したような振動及びノイズ減衰を提供するように決定されてもよい。例えば、第２の内部キャビティ３３９０の形状、長さ及び／又は幅は、ボディ部３３１０の形状、サイズ、体積及び／又は構成材料に応じて変えられてもよい。一例では、第２の内部キャビティ３３９０は、図３４に示すようにフェース部３３７５に対して略平行に延在してもよい。一例（不図示）では、第２の内部キャビティ３３９０は、フェース部３３７５の中央部に近いフェース部３３７５に近くにあって、トウ部３３５０及びヒール部３３６０に近いフェース部３３７５から離れてもよい。一例（不図示）では、第２の内部キャビティ３３９０の形状及びサイズは、特定の又は最適の振動、ノイズ減衰、音及び／又は感触を提供するように数値解析（例えば、有限要素解析）及び／又は実験解析（例えば、振動試験）で決定されてもよい。本明細書に記載の器具、方法、及び製造物は、これに限定されない。
【０１３１】
一例では、第２の内部キャビティ３３９０は、ボトム部３３４０の凹部３３９２を弾性ポリマー又はエラストマー材料で充填し、その後に凹部３３９２を覆うボトムカバー３３９４を取り付けることによって、弾性ポリマー又はエラストマー材料（例えば、３３９８として示される）で充填されもよい。あるいは、ボトムカバー３３９４は、最初に凹部３３９２を覆って配置され、その後に留め具３３９６の１つでボトム部３３４０に取り付けられてもよい。次いで、弾性ポリマー又はエラストマー材料は、ボトムカバー３３９４のための留め具３３９６の留め具ポート又は別の１つを通じて、内部キャビティ３３９０に注入されてもよい。第２の内部キャビティ３３９０が充填された後、ボトムカバー３３９４のための全ての留め具は、凹部３３９２を覆うボトムカバー３３９４を完全に取り付けるように固定されてもよい。別の例では、ボトムカバー３３９４は、第２の内部キャビティ３３９０を弾性ポリマー又はエラストマー材料で充填する前に、ボトム部３３４０に留められてもよい。ボトムカバー３３４０又はボディ部３３１０は、第２の内部キャビティ３３９０へのアクセスを提供するポート（不図示）を含んでもよい。次いで、第２の内部キャビティ３３９０は、該ポートを通じて弾性ポリマー又はエラストマー材料で充填されてもよい。次いで、該ポートはプラグ及び／又は接着剤で充填又は閉鎖されてもよい。別の例では、後述する方法を含む本明細書に記載の方法の組み合わせは、弾性ポリマー又はエラストマー材料を第２の内部キャビティ３３９０に充填するのに使用されてもよい。本明細書に記載の器具、方法、及び製造物は、これに限定されない。
【０１３２】
一例では、ボトム部３３４０は、第１のウェイトポート領域３３４２及び第２のウェイトポート領域３３４４を含んでもよい。ウェイトポート領域３３４２及び３３４４の各々は、本明細書に記載及び図９、１０に示す実施例のように、ボトム部３３４０の外面の一部によって画定されてもよい。一例では、ウェイトポート領域３３４２及び３３４４の各々は、ボトム部３３４０の凹部（不図示）によって画定されてもよい。一例では、ウェイトポート領域３３４２及び３３４４の各々は、図３３−４１に示すようにボトム部３３４０の突出部によって画定されてもよい。従って、各ウェイトポート領域３３４２、３３４４は、複数のウェイトポート３３２０を収容するためにボトム部３３４０に台座を提供してもよい。一例では、ウェイトポート領域３３４２及び３３４４の各々は、図３３−４１に示すように別個のウェイトポート領域であってもよい。一例では、ウェイトポート領域３３４２及び３３４４は、各ウェイトポートが複数のウェイト部の各ウェイト部を受けるように構成された複数のウェイトポートを持つ単一のウェイトポート領域を画定するように接続されてもよい。本明細書に記載の器具、方法、及び製造物は、これに限定されない。
【０１３３】
第１のウェイトポート領域３３４２は、複数のウェイトポートを含んでもよい。一例では、第１のウェイトポート領域３３４２は、概して３３５１、３３５２、３３５３及び３３５４として示される、４つのウェイトポートを含んでもよい。第１のウェイトポート領域３３４２は、トウ部３３５０の近くにあって、フロント部３３７０とリア部３３８０の間に延在してもよい。第１のウェイトポート領域３３４２は、任意の構造、サイズ及び／又は形状を有してもよい。一例では、第１のウェイトポート領域３３４２は、トウ部３３５０におけるボディ部３３１０の輪郭と類似してトウ部３３５０の近くに概ね延在してもよい。第１ウェイトポート領域３３４２の各ウェイトポート３３５１−３３５４は、第１のポート径と関連付けられて、複数のウェイト部の少なくとも１つのウェイト部を受けるように構成されてもよい。第１のウェイトポート領域３３４２の２つの隣接するウェイトポートは、第１のポート径以下で離されてもよい。第１のウェイトポート領域３３４２の各ウェイトポートと関連付けられたポート径、第１のウェイトポート領域３３４２の隣接するウェイトポートの間の距離、及び複数のウェイト部の各ウェイト部の配置は、本明細書に記載のウェイトポート及びウェイト部の例と多くの点で類似してもよい。従って、第１のウェイトポート領域３３４２のウェイトポート及び第１のウェイトポート領域３３４２のウェイトポートに受けられたウェイト部の詳細な説明は提供されない。
【０１３４】
第１のウェイトポート領域３３４２は、ボトム部３３４０とは別個の部品であって、及び／又はボトム部３３４０とは異なる材料から構成されてもよい。例えば、第１のウェイトポート領域３３４２は、１以上の非金属複合材料から構成されて、ボトム部３３４０に取り付けられ又はボトム部３３４０の対応する凹部（不図示）に取り付けられてもよい。第１のウェイトポート領域３３４２は、ウェイトポート３３５１、３３５２、３３５３、及び３３５４を含んでもよい。ウェイトポート３３５１、３３５２、３３５３、及び３３５４の各々は、本明細書に記載のウェイト部を受けるようにネジ山を刻まれていてもよい。あるいは、ウェイトポート３３５１、３３５２、３３５３、及び３３５４の各々は、第１のウェイトポート領域３３４２が複合材料のような非金属材料から構成される場合に、本明細書に記載のウェイト部を受けるためのネジ山付き金属スリーブを含んでもよい。本明細書に記載の器具、方法、及び製造物は、これに限定されない。
【０１３５】
第１のウェイトポート領域３３４２のウェイトポート３３５１、３３５２、３３５３、及び３３５４は、衝撃を吸収し、振動を分離し、及び／又はノイズを減衰するように、弾性ポリマー又はエラストマー材料又は本明細書に記載の任意の適切な材料によって、部分的に又は完全に取り囲まれ及び包み込まれてもよい。一例によれば、第１のウェイトポート領域３３４２及びウェイトポート３３５１、３３５２、３３５３、及び３３５４は、図４７に例示の第２の内部キャビティ４７９０及びウェイトポート４７２０と多くの点で類似し得る。従って、第１のウェイトポート領域３３４２の詳細な説明は提供されない。図４７の例と同様に、第１のウェイトポート領域３３４２は、ウェイトポート３３５１、３３５２、３３５３、及び３３５４の各々を通って延びる、内部キャビティ（不図示）を画定してもよい。次いで、内部キャビティは、ウェイトポート３３５１、３３５２、３３５３、及び３３５４を部分的に又は完全に取り囲む弾性ポリマー又はエラストマー材料で、部分的に又は完全に充填されてもよい。本明細書に記載の器具、方法、及び製造物は、これに限定されない。
【０１３６】
第２のウェイトポート領域３３４４は、複数のウェイトポートを含んでもよい。一例では、第２のウェイトポート領域３３４４は、概して３３５６、３３５７、３３５８及び３３５９として示される、４つのウェイトポートを含んでもよい。第２のウェイトポート領域３３４４は、ヒール部３３６０の近くにあって、フロント部３３７０とリア部３３８０の間に延在してもよい。第２のウェイトポート領域３３４４は、任意の構造、サイズ及び／又は形状を有してもよい。一例では、第２のウェイトポート領域３３４４は、ヒール部３３６０におけるボディ部３３１０の輪郭と類似してヒール部３３６０の近くに概ね延在してもよい。第２ウェイトポート領域３３４４の各ウェイトポート３３５６−３３５９は、第２のポート径と関連付けられて、複数のウェイト部の少なくとも１つのウェイト部を受けるように構成されてもよい。第２のウェイトポート領域３３４４の２つの隣接するウェイトポートは、第２のポート径以下で離されてもよい。第１のポート径は、第２のポート径と同様であってもよく、第２のポート径とは異なってもよい。一例では、第１のポート径は、複数のウェイト部の各ウェイト部が第１のウェイトポート領域３３４２及び第２のウェイトポート領域３３４４のウェイトポートに交換可能に使用されるように、第２のポート径と同様であってもよい。第２のウェイトポート領域３３４４の各ウェイトポートと関連付けられたポート径、第２のウェイトポート領域３３４４の隣接するウェイトポートの間の距離、及び複数のウェイト部の各ウェイト部の配置は、本明細書に記載のウェイトポート及びウェイト部の例と多くの点で類似してもよい。従って、第２のウェイトポート領域３３４４のウェイトポート及び第２のウェイトポート領域３３４４のウェイトポートに受けられるウェイト部の詳細な説明は提供されない。
【０１３７】
第２のウェイトポート領域３３４４は、ボトム部３３４０とは別個の部品であって、ボトム部３３４０とは異なる材料から構成されてもよい。例えば、第２のウェイトポート領域３３４４は、１以上の非金属複合材料から構成されて、ボトム部３３４０に取り付けられ又はボトム部３３４０の対応する凹部（不図示）に取り付けられてもよい。第２のウェイトポート領域３３４４は、ウェイトポート３３５６、３３５７、３３５８、及び３３５９を含んでもよい。ウェイトポート３３５６、３３５７、３３５８、及び３３５９の各々は、本明細書に記載のウェイト部を受けるようにネジ山を刻まれていてもよい。あるいは、ウェイトポート３３５６、３３５７、３３５８、及び３３５９の各々は、第２のウェイトポート領域３３４４が複合材料のような非金属材料から構成される場合に、本明細書に記載のウェイト部を受けるためのネジ山付き金属スリーブを含んでもよい。本明細書に記載の器具、方法、及び製造物は、これに限定されない。
【０１３８】
第２のウェイトポート領域３３４４のウェイトポート３３５６、３３５７、３３５８、及び３３５９は、衝撃を吸収し、振動を分離し、及び／又はノイズを減衰するように、弾性ポリマー又はエラストマー材料又は本明細書に記載の任意の適切な材料によって、部分的に又は完全に取り囲まれ及び包み込まれてもよい。一例によれば、第２のウェイトポート領域３３４４及びウェイトポート３３５６、３３５７、３３５８、及び３３５９は、図４７に例示の第２の内部キャビティ４７９０及びウェイトポート４７２０と多くの点で類似し得る。従って、第２のウェイトポート領域３３４４の詳細な説明は提供されない。図４７の例と同様に、第２のウェイトポート領域３３４４は、ウェイトポート３３５６、３３５７、３３５８、及び３３５９の各々を通って延びる、内部キャビティ（不図示）を画定してもよい。次いで、内部キャビティは、ウェイトポート３３５６、３３５７、３３５８、及び３３５９を部分的に又は完全に取り囲む弾性ポリマー又はエラストマー材料で、部分的に又は完全に充填されてもよい。本明細書に記載の器具、方法、及び製造物は、これに限定されない。
【０１３９】
図４１−４６の例では、ゴルフクラブヘッド４１００は、ボディ部４１１０を含んでもよい。ゴルフクラブヘッド４１００は、複数のウェイトポート（例えば、１つが概して４１２０として示される）及び複数のウェイト部を含んでもよい。あるいは、ゴルフクラブヘッド４１００は、ウェイトポート又はウェイト部を全く含まなくてもよい。ボディ部４１１０は、トップ部４１３０と、ボトム部４１４０と、トウ部４１５０と、ヒール部４１６０と、フロント部４１７０と、リア部４１８０とを含んでもよい。ボトム部４１４０は、フロント部４１７０を除くトップ部４１３０とボトム部４１４０の間に、トウ部４１５０からリア部４１８０を回ってヒール部４１６０に至るゴルフクラブヘッド４１００の周囲を横断して設けられる、ゴルフクラブヘッド４１００のサイド部として規定されたスカート部（不図示）を含んでもよい。ボトム部４１４０は、概して第１のウェイトポート領域４１４２及び第２のウェイトポート領域４１４４として示される、１以上のウェイトポート領域を含んでもよい。例えば、第１及び第２のウェイトポート領域４１４２、４１４４の各々は、それぞれ、複数のウェイト部を受けるように複数のウェイトポートを含んでもよく、そのうちの１つが概して４１２０として示される。第１及び第２のウェイトポート領域４１４２、４１４４、第１及び第２のウェイトポート領域４１４２、４１４４の複数のウェイトポート、第１及び第２のウェイトポート領域４１４２、４１４４に受けられる複数のウェイト部は、第１及び第２のウェイトポート領域３３４２、３３４４のそれぞれ、及び本明細書に記載の他の例と多くの点で類似し得る。更に、第１及び第２のウェイトポート領域４１４２、４１４４は、ボトム部４１４０とは異なる材料から構成され、ウェイトボート領域４１４２及び４１４４のウェイトポートが本明細書に記載のように弾性ポリマー材料によって部分的に又は完全に取り囲まれるように、弾性ポリマー又はエラストマー材料で充填されてもよい。従って、第１及び第２のウェイトポート領域４１４２、４１４４の詳細な説明は提供されない。
【０１４０】
フロント部４１７０は、ゴルフボール（不図示）に対するフェース部４１７５を含んでもよい。ボディ部４１１０はまた、シャフト（不図示）を受けるホーゼル部４１６５を含んでもよい。あるいは、ボディ部４１１０は、ホーゼル部４１６５に代えてボア（不図示）を含んでもよい。例えば、ボディ部４１１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部４１１０は、部分的に又は完全に、セラミック材料、複合材料、それらの任意の組み合わせ、又は他の適切なタイプの材料のような非金属材料で作製されてもよい。
【０１４１】
ゴルフクラブヘッド４１００は、３００立方センチメートル（ｃｍ3又はｃｃ）以上のクラブヘッド体積を有してもよい。一例では、ゴルフクラブヘッド４１００は、約４６０ｃｃであってもよい。あるいは、ゴルフクラブヘッド４１００は、３００ｃｃ以下のクラブヘッド体積を有してもよい。具体的には、ゴルフクラブヘッド４１００は、１００ｃｃから２００ｃｃの間のクラブヘッド体積を有してもよい。ゴルフクラブヘッド４１００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド４１００のクラブヘッド体積を測定するために使用することができる。図４２は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。従って、ゴルフクラブヘッド４１００は、本明細書に記載のクラブヘッドのような任意のタイプのクラブヘッドであってもよい。本明細書に記載の器具、方法、及び製造物は、これに限定されない。
【０１４２】
ボディ部４１１０は、図３３−４０に例示の第１の内部キャビティ３３８５と多くの点で類似する内部キャビティ（不図示）を含む中空体であってもよい。ボトム部４１４０は、フロント部４１７０とリア部４１８０の間に延在し、及びトウ部４１５０とヒール部４１６０の間に延在する、凹領域４１９０を含んでもよい。しかしながら、ボトム部は、凹領域４１９０を含まなくてもよい。凹領域４１９０は、凹領域４１９０の凹部又は溝４１９２によって画定されてもよい。一例では、凹領域４１９０は、フロント部４１７０の近くにあって、トウ部４１５０とヒール部４１７０の間に延びる長さ、及びゴルフボールに対する又は打つフェース部４１７５の部分以上の長さを有してもよい。従って、凹領域４１９０は、フェース部４１７５の近傍及び裏側に配置されてもよい。一例では、凹領域４１９０は、任意の長さ及び／又は幅を有してもよい。凹領域４１９０は、ボディ部４１１０の任意の位置にあってもよい。
【０１４３】
溝４１９２によって画定される凹領域４１９０は、ボトム部４１４０の剛性を変えることができる。従って、凹領域４１９０は、フェース部４１７５がゴルフボールを打つときのボディ部４１００のノイズ及び減衰特性を変えることができる。フェース部４１７５がゴルフボールを打つときにフェース部４１７５からボディ部４１１の残りに伝搬する振動の特性は、凹領域４１９０によって変化及び／又は減衰させることができる。従って、凹領域４１９０は、振動及びノイズ減衰を提供することができる。更に、凹領域４１９０は、ゴルフボール（不図示）を打つときに各人に好ましい音及び感触を提供することもできる。凹領域４１９０は、本明細書に記載したような振動及びノイズ減衰の機能を提供するように任意の形状を有してもよい。例えば、凹領域４１９０は、長方形、三角形又は多角形の形状を有してもよい。更に、凹領域４１９０の長さ及び幅は、本明細書に記載したような振動及びノイズ減衰を提供するように決定されてもよい。例えば、凹領域４１９０の形状、長さ及び／又は幅は、ボディ部４１１０の形状、サイズ、体積及び／又は構成材料に応じて変えられてもよい。一例では、凹領域４１９０は、図４３に示すようにフェース部４１７５に対して略平行に延在してもよい。一例（不図示）では、凹領域は、フェース部４１７５の中央部に近いフェース部４１７５に近くにあって、トウ部４１５０及びヒール部４１６０に近いフェース部４１７５から離れてもよい。一例（不図示）では、凹領域４１９０の形状及びサイズ、及び溝４１９２の形状、幅及び深さは、特定の又は最適の振動及びノイズ減衰を提供するように数値解析（例えば、有限要素解析）及び／又は実験解析（例えば、振動試験）で決定されてもよい。凹領域４１９０は、ボディ部４１００の特定の振動、減衰及びノイズ特性を提供するために、同様の溝、ディンプル、突起、隆線部を追加で含んでもよい。本明細書に記載の器具、方法、及び製造物は、これに限定されない。
【０１４４】
図４７及び４８の例では、ゴルフクラブヘッド４７００は、ボディ部４７１０を含んでもよい。ゴルフクラブヘッド４７００は、本明細書に記載のゴルフクラブヘッドのウェイトポート及びウェイト部のそれぞれと多くの点で類似する複数のウェイトポート４７２０（例えば、４つのウェイトポートが概して４７２１、４７２２、４７２３、及び４７２４して示される）及び複数のウェイト部を含んでもよい。従って、ゴルフクラブヘッド４７００のウェイトポート及びウェイト部の詳細な説明は提供されない。
【０１４５】
ボディ部４７１０は、トップ部４７３０と、ボトム部４７４０と、トウ部（不図示）と、ヒール部（不図示）と、フロント部４７７０と、リア部４７８０とを含んでもよい。ボトム部４７４０は、フロント部４７７０を除くトップ部４７３０とボトム部４７４０の間に、トウ部からリア部４７８０を回ってヒール部に至るゴルフクラブヘッド４７００の周囲を横断して設けられる、ゴルフクラブヘッド４７００のサイド部として規定されたスカート部（不図示）を含んでもよい。ボトム部４７４０は、１以上のウェイトポート領域を含んでもよい。図４７の例では、ウェイトポート領域４７１５が示されている。ウェイトポート領域は、図４８では概して４８２０として示される複数のウェイト部（例えば、ウェイト部４８２１、４８２２、４８２３及び４８２４）を受けるように複数のウェイトポートを含んでもよく、そのうちの１つが概して４７２０として示される。フロント部４７７０は、ゴルフボール（不図示）に対するフェース部４７７５を含んでもよい。ボディ部４７１０はまた、シャフト（不図示）を受けるホーゼル部（不図示）を含んでもよい。あるいは、ボディ部４７１０は、ホーゼル部（不図示）に代えてボア（不図示）を含んでもよい。例えば、ボディ部４７１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部４７１０は、部分的に又は完全に、セラミック材料、複合材料、それらの任意の組み合わせ、又は他の適切なタイプの材料のような非金属材料で作製されてもよい。
【０１４６】
ゴルフクラブヘッド４７００は、３００立方センチメートル（ｃｍ3又はｃｃ）以上のクラブヘッド体積を有してもよい。一例では、ゴルフクラブヘッド４７００は、約４６０ｃｃであってもよい。あるいは、ゴルフクラブヘッド４７００は、３００ｃｃ以下のクラブヘッド体積を有してもよい。具体的には、ゴルフクラブヘッド４７００は、１００ｃｃから２００ｃｃの間のクラブヘッド体積を有してもよい。ゴルフクラブヘッド４７００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド４７００のクラブヘッド体積を測定するために使用することができる。図４７は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。従って、ゴルフクラブヘッド４７００は、本明細書に記載のクラブヘッドのような任意のタイプのクラブヘッドであってもよい。本明細書に記載の器具、方法、及び製造物は、これに限定されない。
【０１４７】
ボディ部４７１０は、フロント部４７７０とおリア部４７８０の間、及びトウ部とヒール部の間に延在する第１の内部キャビティ４７８８を含む中空体であってもよい。ボディ部４７１０は、ボトム部４７４０の近く又はボトム部４７４０の近くにあって、フロント部４７６０とリア部４７７０の間に延在する第２の内部キャビティ４７９０を含んでもよい。第２の内部キャビティ４７９０は、トップ部４７３０とボトム部４７４０の間に延在してもよい。第１の内部キャビティ４７８８及び第２の内部キャビティ４７９０は、キャビティウォール４７８９によって分離されてもよい。第２の内部キャビティ４７９０は、ゴルフクラブヘッド４７１０と一体の部分であってもよい。換言すれば、第２の内部キャビティは、ボトム部４７４０とトップ部４７３０の間に配置されてもよい。あるいは、図４８に示すように、第２の内部キャビティ４７９０は、ボトム部４７４０の凹部４７９２に取り付けられる別個及び中空のウェイトポート領域４７１５によって画定されてもよい。
【０１４８】
ウェイトポート領域４７１５は、ウェイトポート４７２０（概してウェイトポート４７２１、４７２２、４７２３及び４７２４として示される）を含んでもよい。ウェイトポート４７２０は、中空のウェイトポート領域４７１５（すなわち、第２の内部キャビティ４７９０）に延在するポートによって画定されてもよい。第２の内部キャビティ４７９０は、ウェイトポート４７２０を取り囲み及び包み込んでもよい。一例では、第２の内部キャビティ４７９０は、無充填（すなわち、空の空間）であってもよい。あるいは、第２の内部キャビティ４７９０は、衝撃を吸収し、振動を分離し、及び／又はノイズを減衰するように、弾性ポリマー又はエラストマー材料４７９８（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。従って、ウェイトポート４７２１、４７２２、４７２３及び４７２４の各々は、弾性ポリマー材料によって部分的に又は完全に取り囲まれてもよい。弾性ポリマー又はエラストマー材料は、第２の内部キャビティ４７９０又は別のアクセスポート（不図示）への開口部を有するウェイトポート４７２０の１つを通じて、第２の内部キャビティ４７９２に注入されてもよい。例えば、第２の内部キャビティ４７９０の少なくとも５０％は、ゴルフクラブヘッド４７００がフェース部４７７５を介してゴルフボールを打つときに、衝撃を吸収し、振動を分離し、及び／又はノイズを減衰するように、ＴＰＥ材料で充填されてもよい。本明細書に記載の器具、方法、及び製造物は、これに限定されない。
【０１４９】
一例によれば、ウェイトポート領域４７１５は、ゴルフクラブヘッド４７１０と同じ材料から、又は異なる材料から構成され得る別個の部品であってもよい。例えば、ウェイトポート領域４７１５は、非金属複合材料から構成されてもよい。ウェイトポート４７２１、４７２２、４７２３、及び４７２４の各々は、ウェイトポート領域４７１５が複合材料のような非金属材料から構成される場合に、本明細書に記載のウェイト部を受けるためのネジ山付き金属スリーブを含んでもよい。ウェイトポート領域４７１５は、ボトム部４７４０の凹部４７９２の内部に取り付ける前又は後に、弾性又はエラストマー材料で部分的に又は完全に充填されてもよい。本明細書に記載の器具、方法、及び製造物は、これに限定されない。
【０１５０】
図４９−５２の例では、ゴルフクラブヘッド４９００は、ボディ部４９１０を含んでもよい。ゴルフクラブヘッド４９００は、第１セットのウェイトポート５０２０（例えば、概してウェイトポート５０２１、５０２２、５０２３、５０２４、及び５０２５として示される）及び第２セットのウェイトポート５１２０（例えば、概してウェイトポート５１２１、５１２２、５１２３、５１２４、及び５１２５として示される）を有する複数のウェイトポートを含んでもよい。ゴルフクラブヘッド４９００はまた、複数のウェイト部（不図示）を含んでもよい。ウェイトポート５０２０、５１２０及びウェイト部は、本明細書に記載のウェイトポート及びウェイト部のそれぞれと多くの点で類似してもよい。従って、ゴルフクラブヘッド４９００のウェイトポート５０２０、５１２０及びウェイト部の詳細な説明は提供されない。あるいは、ゴルフクラブヘッド４９００は、ウェイトポート又はウェイト部を全く含まなくてもよい。
【０１５１】
ボディ部４９１０は、トップ部４９３０と、ボトム部４９４０と、トウ部４９５０と、ヒール部４９６０と、フロント部４９７０と、リア部４９８０とを含んでもよい。ボトム部４９４０は、フロント部４９７０を除くトップ部４９３０とボトム部４９４０の間に、トウ部４９５０からリア部４９８０を回ってヒール部４９６０に至るゴルフクラブヘッド４９００の周囲を横断して設けられる、ゴルフクラブヘッド４９００のサイド部として規定されたスカート部（不図示）を含んでもよい。ボトム部４９４０は、１以上のウェイトポート領域を含んでもよい。図４９の例では、ボトム部４９４０は、第１セットのウェイト部５０２０を有する第１のウェイトポート領域５０５０と、第２セットのウェイトポート５１２０を有する第２のウェイトポート領域５１５０とを含んでもよい。
【０１５２】
フロント部４９７０は、ゴルフボール（不図示）に対するフェース部４９７５を含んでもよい。ボディ部４９１０はまた、シャフト（不図示）を受けるホーゼル部４９６５を含んでもよい。あるいは、ボディ部４９１０は、ホーゼル部４９６５に代えてボア（不図示）を含んでもよい。例えば、ボディ部４９１０は、部分的に又は完全に、アルミニウム系材料、マグネシウム系材料、鋼系材料、チタン系材料、それらの任意の組み合わせ、又は他の適切なタイプの材料で作製されてもよい。別の例では、ボディ部４９１０は、部分的に又は完全に、セラミック材料、複合材料、それらの任意の組み合わせ、又は他の適切なタイプの材料のような非金属材料で作製されてもよい。
【０１５３】
ゴルフクラブヘッド４９００は、３００立方センチメートル（ｃｍ3又はｃｃ）以上のクラブヘッド体積を有してもよい。一例では、ゴルフクラブヘッド４９００は、約４６０ｃｃであってもよい。あるいは、ゴルフクラブヘッド４９００は、３００ｃｃ以下のクラブヘッド体積を有してもよい。具体的には、ゴルフクラブヘッド４９００は、１００ｃｃから２００ｃｃの間のクラブヘッド体積を有してもよい。ゴルフクラブヘッド４９００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド４９００のクラブヘッド体積を測定するために使用することができる。図４９は特定のタイプのクラブヘッド（例えば、ドライバー型クラブヘッド）を示すが、本明細書に記載の器具、方法、及び製造物は、他のタイプのクラブヘッド（例えば、フェアウェイウッド型クラブヘッド、ハイブリッド型クラブヘッド、アイアン型クラブヘッド、パター型クラブヘッド、等）に適用されてもよい。従って、ゴルフクラブヘッド４９００は、本明細書に記載のクラブヘッドのような任意のタイプのクラブヘッドであってもよい。本明細書に記載の器具、方法、及び製造物は、これに限定されない。
【０１５４】
ウェイトポート領域５０５０及び５１５０の各々は、本明細書に記載及び図４９、５０に示す全ての実施例のように、ボトム部４９４０の外面の一部によって画定されてもよい。一例では、ウェイトポート領域５０５０及び５１５０の各々は、ボトム部４９４０の凹部（不図示）によって画定されてもよい。一例では、ウェイトポート領域５０５０及び５１５０の各々は、ボトム部４９４０の突出部（図４９−５２に示されず、図４３に例示される）によって画定されてもよい。一例では、ウェイトポート領域５０５０及び５１５０の各々は、ボトム部４９４０に取り付けられ、ボトム部４９４０から突出する別個のウェイトポート領域（不図示）であってもよい。一例では、ウェイトポート領域５０５０及び５１５０の各々は、ボトム部４９４０の各ウェイトポート領域５０５０及び５１５０のそれぞれ（不図示）を画定する凹部の内部に取り付けられる別個のウェイトポート領域であってもよい。図４９の例では、ウェイトポート領域５０５０及び５１５０の各々は、ボトム部４９４０の外面の一部によって画定されてもよい。ウェイトポート領域５０５０及び５１５０の各々は、ウェイトポート領域５０５０及び５１５０の各々をそれぞれ画定する凹部又は溝、突起、又は任意のタイプの境界部（例えば、エッチング、塗装、など）によって画定されてもよい。あるいは、ウェイトポート領域５０５０及び５１５０は、任意のウェイトポート領域の境界構造又は視覚的識別なしで、各ウェイトポート領域５０５０及び５１５０のウェイトポートによって画定されてもよい。図４９の例では、ウェイトポート領域５０５０及び５１５０の各々は、ウェイトポート領域５０５０及び５１５０又はその周囲でボトム部４９４０に構造補強及び／又は剛性を提供する境界凹部又は境界溝５０５２及び５１５２によって画定されてもよい。境界溝５０５２及び５１５２に代えて、ウェイトポート領域５０５０及び５１５０の各々は、ウェイトポート領域５０５０及び５１５０又はその周囲でボトム部４９４０に構造補強及び／又は剛性を提供する境界突起又は境界リブ（不図示）によって画定されてもよい。本明細書に記載の器具、方法、及び製造物は、これに限定されない。
【０１５５】
第１のウェイトポート領域５０５０は、任意の形状であってもよい。図４９の例では、第１のウェイトポート領域５０５０は、概ねＬ字型である。第１のウェイトポート領域５０５０は、トウ部４９５０の近くにあって、フロント部４９７０とリア部４９８０の間に延在する第１部分５０５４（例えば、ウェイトポート５０２２、５０２３、５０２４、及び５０２５）と、トウ部４９５０とヒール部４９６０の間に延在する第２部分５０５６（例えば、ウェイトポート５０２１及び５０２２）とを含んでもよい。第１部分５０５４及び第２部分５０５６は、概ねＬ字型の第１のウェイトポート領域５０５０に似るように横になってもよい。第１部分５０５４及び第２部分５０５６の各々は、任意の数のウェイトポートを含んでもよい。図４９−５２の例では、第１部分５０５４は、トウ部４９５０とヒール部４９６０の間の方向に延在する２つのウェイトポート５０２１及び５０２２を含んでもよい。第２部分５０５６は、フェース部４９７０とリア部４９８０の間の方向に延在する４つのウェイトポート５０２２、５０２３、５０２４及び５０２５を含んでもよい。第１部分５０５４のウェイトポートは、直線又は曲線に沿って設けられてもよい。第２部分５０５６のウェイトポートは、直線又は曲線に沿って延在してもよい。一例では、第１部分５０５４のウェイトポートは、概してフロント部４９７０の輪郭に対応する方向に延在してもよい。一例では、第２部分５０５６のウェイトポートは、概してトウ部４９５０の輪郭に対応する方向に延在してもよい。従って、第１のウェイトポート領域５０５０は、概してボトム部４９４０の直線状又は曲線状のＬ字型の領域を画定する直線状又は曲線状の側面によって画定されてもよい。概ねＬ字型の領域は、概して横になって、互いに直角、大きな鋭角（例えば、４５°より大きい）又は小さな鈍角（例えば、１３５°より小さい）になるように形成された２つの領域によって画定されてもよい。本明細書に記載の器具、方法、及び製造物は、これに限定されない。
【０１５６】
第１のウェイトポート領域５０５０の各ウェイトポート５０２１、５０２２、５０２３、５０２４、及び５０２５は、第１のポート径と関連付けられて、複数のウェイト部の少なくとも１つのウェイト部を受けるように構成されてもよい。第１のウェイトポート領域５０５０の隣接するウェイトポートは、任意の距離で離されてもよい。一例では、第１のウェイトポート領域５０５０の２つの隣接するウェイトポートは、２つの隣接するウェイトポートのいずれかの直径である第１のポート径以下で離されてもよい。第１のポート領域５０５０の各ウェイトポートと関連付けられたポート径、第１のウェイトポート領域５０５０の隣接するウェイトポートの間の距離、及び複数のウェイト部の各ウェイト部の配置は、本明細書に記載のウェイトポート及びウェイト部の例と多くの点で類似してもよい。従って、第１のウェイトポート領域５０５０のウェイトポート及び第１のウェイトポート領域５０５０のウェイトポートに受けられたウェイト部の詳細な説明は提供されない。本明細書に記載の器具、方法、及び製造物は、これに限定されない。
【０１５７】
第２のウェイトポート領域５１５０は、任意の形状であってもよい。図４９の例では、第２のウェイトポート領域５１５０は、概ねＬ字型である。第２のウェイトポート領域５１５０は、ヒール部４９６０の近くにあって、フロント部４９７０とリア部４９８０の間に延在する第１部分５１５４（例えば、ウェイトポート５１２２、５１２３、５１２４、及び５１２５）と、トウ部４９５０とヒール部４９６０の間に延在する第２部分５１５６（例えば、ウェイトポート５１２１及び５１２２）とを含んでもよい。第１部分５１５４及び第２部分５１５６は、概ねＬ字型の第２のウェイトポート領域５１５０を画定するように横になってもよい。第１部分５１５４及び第２部分５１５６の各々は、任意の数のウェイトポートを含んでもよい。図４９−５２の例では、第１部分５１５４は、トウ部４９５０とヒール部４９６０の間の方向に延在する２つのウェイトポート５１２１及び５１２２を含んでもよい。第２部分５１５６は、フェース部４９７０とリア部４９８０の間の方向に延在する４つのウェイトポート５１２２、５１２３、５１２４及び５１２５を含んでもよい。第１部分５１５４のウェイトポートは、直線又は曲線に沿って設けられてもよい。第２部分５１５６のウェイトポートは、直線又は曲線に沿って延在してもよい。一例では、第１部分５１５４のウェイトポートは、概してフロント部４９７０の輪郭に対応する方向に延在してもよい。一例では、第２部分５１５６のウェイトポートは、概してヒール部４９６０の輪郭に対応する方向に延在してもよい。従って、第２のウェイトポート領域５１５０は、概してボトム部４９４０の直線状又は曲線状のＬ字型の領域を画定する直線状又は曲線状の側面によって画定されてもよい。概ねＬ字型の領域は、概して横になって、互いに直角、大きな鋭角（例えば、４５°より大きい）又は小さな鈍角（例えば、１３５°より小さい）になるように形成された２つの領域によって画定されてもよい。本明細書に記載の器具、方法、及び製造物は、これに限定されない。
【０１５８】
第２のウェイトポート領域５１５０の各ウェイトポート５１２１、５１２２、５１２３、５１２４、及び５１２５は、第２のポート径と関連付けられて、複数のウェイト部の少なくとも１つのウェイト部を受けるように構成されてもよい。第２のウェイトポート領域５１５０の隣接するウェイトポートは、任意の距離で離されてもよい。一例では、第２のウェイトポート領域５１５０の２つの隣接するウェイトポートは、２つの隣接するウェイトポートのいずれかのポート径である第２のポート径以下で離されてもよい。第２のポート径は、第１のポート径と同様であってもよく、第１のポート径とは異なっていてもよい。一例では、第１のポート径は、複数のウェイト部の各ウェイト部が第１のウェイトポート領域５０５０及び第２のウェイトポート領域５１５０のウェイトポートに交換可能に使用されるように、第２のポート径と同様であってもよい。第２のウェイトポート領域５１５０の各ウェイトポートと関連付けられたポート径、第２のウェイトポート領域５１５０の隣接するウェイトポートの間の距離、及び複数のウェイト部の各ウェイト部の配置は、本明細書に記載のウェイトポート及びウェイト部の例と多くの点で類似してもよい。従って、第２のウェイトポート領域５１５０のウェイトポート及び第２のウェイトポート領域５１５０のウェイトポートに受けられるウェイト部の詳細な説明は提供されない。本明細書に記載の器具、方法、及び製造物は、これに限定されない。
【０１５９】
ボディ部４９１０は、概してボディ部４９１０の体積を画定する内部キャビティ（不図示）を含む中空体であってもよい。あるいは、ボディ部４９１０は、概してボディ部４９１０の体積を画定する複数の内部キャビティを含んでもよい。ボディ部４９１０の任意の内部キャビティの構成は、本明細書に記載のゴルフクラブヘッドの１以上の内部キャビティと多くの点で類似してもよい。更に、ボディ部４９１０の任意の内部キャビティは、無充填（すなわち、空の空間）であってもよく、本明細書に記載の任意のゴルフクラブヘッドと同様な方法で、弾性ポリマー又はエラストマー材料で部分的に充填されてもよく、又は完全に充填されてもよい。ウェイトポート領域５０５０及び／又は５１５０のいずれか１つ又は複数のウェイトポートは、部分的に又は完全に、弾性ポリマー又はエラストマー材料で取り囲まれてもよい。一例では、ウェイトポート領域５０５０及び／又は５１５０の１以上のウェイトポートは、図２９及び３０に示す例と同様の弾性ポリマー材料に近接し又は取り囲まれてもよい。一例では、ウェイトポート領域５０５０及び／又は５１５０の１以上のウェイトポートは、図３１及び３２に示す例と同様の弾性ポリマー材料に近接し又は取り囲まれてもよい。一例では、ウェイトポート領域５０５０及び／又は５１５０の１以上のウェイトポートは、図４７及び４８に示す例と同様の弾性ポリマー材料に近接し又は取り囲まれてもよい。弾性ポリマー材料に覆われる部分とボディ部４９１０の内部キャビティ（不図示）に露呈する部分とを有するウェイトポートは、部分的に弾性ポリマー材料に取り囲まれたウェイトポートとして画定することができる。例えば、図３０及び３２の例では、ウェイトポートの一方の側は弾性ポリマー材料で覆われるので、ウェイトポートは弾性ポリマー材料で部分的に取り囲まれてもよい。あるいは、ボディ部４９１０の内部キャビティ（不図示）の弾性ポリマー材料で完全に取り囲まれたウェイトポートは、弾性ポリマー材料で完全に取り囲まれたウェイトポートとして画定することができる。例えば、図４７に示すように、ウェイトポートは、ボディ部４９１０の内部キャビティの弾性ポリマー材料で完全に取り囲まれてもよい。ボディ部４９１０の任意の内部キャビティの構造、及び／又は、ウェイトポート５０５０及び／又は５１５０は、本明細書に記載のゴルフクラブヘッドの１以上の内部キャビティと多くの点で類似してもよい。更に、ボディ部４９１０の任意の内部キャビティ、及び／又は、ウェイトポート５０５０及び／又は５１５０のいずれかの近く又はいずれかを取り囲む内部キャビティの任意の部分は、無充填（すなわち、空の空間）であってもよく、本明細書に記載の任意のゴルフクラブヘッドと同様な方法で、弾性ポリマー又はエラストマー材料で部分的に充填されてもよく、又は完全に充填されてもよい。ボディ部４９１０の任意の内部キャビティは、本明細書に記載の１以上のウェイトポートを通じて、部分的に又は完全に弾性ポリマー材料で充填されてもよい。従って、ボディ部４９１０の任意の内部キャビティ、及び弾性ポリマー又はエラストマー材料による前記内部キャビティの充填の詳細な説明は提供されない。本明細書に記載の器具、方法、及び製造物は、これに限定されない。
【０１６０】
図５１及び５２に示す一例では、ボトム部４９４０は、外側表面４９４２及び内側表面４９４４を含んでもよい。内側表面４９４４は、複数の支持部５１７０を含んでもよい。これに代えて、又は内側表面４９４４と共に、外側表面４９４２は複数の支持部（不図示）を含んでもよい。例えば、支持部の少なくとも１つは、細長く窪んだリブ（例えば、不図示の溝）又は細長く突出したリブ（図５２に示す）であってもよい。複数の支持部５１７０は、トウ部４９５０とヒール部４９６０の間に延在する１以上の第１の支持部５１７２を含んでもよい。複数の支持部５１７０は、フロント部４９７０とリア部４９８０の間に延在する１以上の第２の支持部５１７４を含んでもよい。第１の支持部の少なくとも１つは、第２の支持部の少なくとも１つと交差してもよい。一例では、交差する第１の支持部及び第２の支持部は、ボトム部４９４０の構造的補強及び剛性を高めるように、トラスと同様の機能を果たすトラス状構造を提供してもよい。本明細書に記載の器具、方法、及び製造物は、これに限定されない。
【０１６１】
一例では、ボトム部４９４０は、トウ部４９５０とヒール部４９６０の間に延在する少なくとも３つの第１の支持部５１７２を含んでもよい。第１の支持部５１７２は、同様の間隔で離されて、及び／又は略平行であって、第１及び第２のウェイトポート領域５０５０、５１５０と交差するように配置されてもよい。従って、第１支持部５１７２は、第１及び第２のウェイトポート領域５０５０、５１５０に、及び／又は、ウェイトポート領域５０５０及び５１５０の近くのボトム部４９４０の領域に、構造的補強及び剛性を提供することができる。第１の支持部５１７２は、フロント部４９７０又はリア部４９８０のいずれかの曲率と同様の曲率を有してもよい。図５１の例では、第１の支持部５１７２は、フロント部４９７０の曲率と同様の曲率を有してもよく、フェース部４９７５がゴルフボール（不図示）を打つときにボトム部４９４０に構造的補強及び剛性を提供することができる。あるいは、第１の支持部５１７２は、任意の構成又は曲率を有してもよく、直線状であってもよい。一例では、第１の支持部５１７２は、ボトム部４９４０上の点（不図示）又はボトム部４９４０の外側に収束する放射状の線（不図示）によって画定されてもよい。本明細書に記載の器具、方法、及び製造物は、これに限定されない。
【０１６２】
一例では、ボトム部４９４０は、フロント部４９７０とリア部４９８０の間に延在する少なくとも３つの第２支持部５１７４を含んでもよい。第２の支持部５１７４は、同様の間隔で離されて、及び／又は略平行であってもよい。第２の支持部５１７４の少なくとも１以上は、第１及び第２のウェイトポート領域５０５０、５１５０に交差するように構成されてもよい。従って、第２の支持部５１７４は、第１及び第２のウェイトポート領域５０５０、５１５０に、及び／又は、ウェイトポート領域５０５０及び５１５０の近くのボトム部４９４０の領域に、構造的補強及び剛性を提供することができる。第２の支持部５１７４は、トップ部４９５０又はヒール部４９６０のいずれかの曲率と同様の曲率を有してもよい。図５１の例では、第２の支持部５１７４は、リア部４９８０とフロント部４９７０の間に概ね直線状に延在し、更にリア部４９８０からフロント部４９７０かでの曲率に従っている。第２の支持部５１７４は、フェース部４９７５がゴルフボール（不図示）を打つときにボトム部４９４０に構造的補強及び剛性を提供することができる。あるいは、第２の支持部５１７４は、任意の構成を有してもよい。一例では、第２の支持部５１７４は、ボトム部４９４０上の点（不図示）又はボトム部４９４０の外側に収束する放射状の線（不図示）によって画定されてもよい。本明細書に記載の器具、方法、及び製造物は、これに限定されない。
【０１６３】
上記の例では、特定のタイプのゴルフクラブヘッドを示したが、本明細書に記載の器具、方法、及び製造物は、他のタイプのゴルフクラブヘッドに適用されてもよい。図５３−５５を参照すると、例えば、ゴルフクラブヘッド５３００は、ボディ部５３１０及びキャビティウォール部５３２０を含んでもよい。ゴルフクラブヘッド５３００は、３００立方センチメートル（ｃｍ3又はｃｃ）以上のクラブヘッド体積を有してもよい。一例では、ゴルフクラブヘッド５３００は、約４６０ｃｃであってもよい。あるいは、ゴルフクラブヘッド５３００は、３００ｃｃ以下のクラブヘッド体積を有してもよい。例えば、ゴルフクラブヘッド５３００は、１００ｃｃから２００ｃｃの間のクラブヘッド体積を有してもよい。ゴルフクラブヘッド５３００のクラブヘッド体積は、加重水置換法（すなわち、アルキメデスの原理）を用いて測ることができる。例えば、ゴルフ標準団体、及び／又は、全米ゴルフ協会（ＵＳＧＡ）及び／又は全英ゴルフ協会（Ｒ＆Ａ）等のような運営組織によって規定された手順を、ゴルフクラブヘッド１００のクラブヘッド体積を測定するために使用することができる。図５３−５５は特定のタイプのクラブヘッド（例えば、フェアウェイウッド型クラブヘッド）を示すが、本明細書に記載の器具、方法、及び製造物は、他のタイプのクラブヘッド（例えば、ドライバー型クラブヘッド、ハイブリッド型クラブヘッド、アイアン型クラブヘッド、パター型クラブヘッド、等）に適用されてもよい。本明細書に記載の器具、方法、及び製造物は、これに限定されない。
【０１６４】
ボディ部５３１０は、トウ部５３４０、ヒール部５３５０、フロント部５３６０、リア部５３７０、トップ部５３８０（例えば、クラウン部）、及びボトム部５３９０（例えば、ソール部）を含んでもよい。ボディ部５３１０は、部分的に又は完全に、アルミニウム系材料、マグネシウム系材料、鋼系材料、チタン系材料、他の任意の適切な材料、又はそれらの任意の組み合わせで作製された中空体であってもよい。別の例では、ボディ部５３１０は、部分的に又は完全に、セラミック材料などの非金属材料、複合材料、他の任意の適切な材料、又はそれらの任意の組み合わせで作製されてもよい。フロント部５３６０は、フェース部５３６２（例えば、打撃面）を含んでもよい。フェース部５３６２は、フロント面５３６４及びバック面５３６６を含んでもよい。フロント面５３６４は、概して図５５に５５１０として示される、複数の溝を含んでもよい。
【０１６５】
キャビティウォール部５３２０は、ボディ部５３１０内に第１の内部キャビティ５４１０及び第２の内部キャビティ５４２０を形成してもよい。例えば、キャビティウォール部５３２０は、部分的に又は完全に、アルミニウム系材料、鋼系材料、他の任意の適切な材料、又はそれらの任意の組み合わせで作製されてもよい。別の例では、キャビティウォール部５３２０は、セラミック材料などの非金属材料、複合材料、他の任意の適切な材料、又はそれらの任意の組み合わせで作製されてもよい。第１の内部キャビティ５４１０は、第１体積と関連し得る一方で、第２の内部キャビティ５４２０は、第２体積と関連し得る。一例では、第１体積は第２体積より小さくてもよい。更に、第１体積は、第２体積の５０％以下であってもよい。
【０１６６】
図５４に示すように、例えば、キャビティウォール部５３２０は、フェース部５３６２のバック面５３６６から延在してもよい。一例では、キャビティウォール部５３２０は、バック面５３６６から１インチを超えて延在しなくてもよい。別の例では、キャビティウォール部５３２０は、バック面５３６６から２インチを超えて延在しなくてもよい。キャビティウォール部５３２０は、単一の湾曲した壁区間であってもよい。具体的には、キャビティウォール部５３２０は、バック面５３６６に対して楕円形の基部（例えば、図５５）又は円形の基部を持つドーム状構造を形成するために、バック面５３６６（例えば、Ｃ字状）に対して凸となる弧状の形状を有してもよい。別の例では、キャビティウォール部５３２０は、ボディ部５３１０と共に円錐状構造又は円柱状構造を形成してもよい。あるいは、キャビティウォール部５３２０は、バック面５３６６に対して凹となる弧状の形状を有してもよい。本明細書に記載の器具、方法、及び製造物は、これに限定されない。
【０１６７】
第１の内部キャビティ５４１０は、衝撃を吸収し、振動を分離し、及び／又はノイズを減衰するように、弾性ポリマー又はエラストマー材料（例えば、オハイオ州、ケント、Ｓｏｒｂｏｔｈａｎｅ社製のＳｏｒｂｏｔｈａｎｅ（登録商標）のような粘弾性ウレタンポリマー材料）、熱可塑性エラストマー材料（ＴＰＥ）、熱可塑性ポリウレタン材料（ＴＰＵ）、及び／又は他の適切なタイプの材料で、部分的に又は完全に充填されてもよい。弾性ポリマー材料は、フェース部５３６２のポートを介して射出成型工程を介して第１の内部キャビティ５４１０に注入されてもよい。例えば、第１の内部キャビティ５４１０の少なくとも５０％は、ゴルフクラブヘッド５３００がフェース部５３６２を介してゴルフボールを打つときに衝撃を吸収し、振動を分離し、及び／又は構造的支持を提供するように、ＴＰＥ材料で充填されてもよい。第１の内部キャビティ５４１０を形成するキャビティウォール部５３２０の支持と、弾性ポリマー材料による第１の内部キャビティ５４１０の少なくとも一部の充填とにより、フェース部５３６２は、ゴルフクラブヘッド５３００の構造的完全性、音、及び／又は感触を低下させることなく、比較的薄くすることができる。一例では、フェース部５３６２は、０．０７５インチ（例えば、フロント面５３６４とバック面５３６６との間の距離）以下の厚さを有してもよい。別の例では、フェース部５３６２は、０．０６０インチ以下の厚さを有してもよい。更に別の例では、フェース部５３６２は、０．０５０インチ以下の厚さを有してもよい。更に、フェース部５３６２は、０．０３０インチ以下の厚さを有してもよい。本明細書に記載の器具、方法、及び製造物は、これに限定されない。
【０１６８】
キャビティウォール部５３２０は、複数の区間を含んでもよい。図５６−５８に戻り、例えば、ゴルフクラブヘッド５６００は、ボディ部５６１０及びキャビティウォール部５６２０を含んでもよい。ボディ部５６１０は、トウ部５６４０、ヒール部５６５０、フロント部５６６０、リア部５６７０、トップ部５６８０（例えば、クラウン部）、及びボトム部５６９０（例えば、ソール部）を含んでもよい。フロント部５６６０は、フロント面５６６４及びバック面５６６６を持つフェース部５６６２（例えば、打撃面）を含んでもよい。キャビティウォール部５６２０は、ボディ部５６１０内に第１の内部キャビティ５７１０及び第２の内部キャビティ５７２０を形成するバック面５６６６から延在してもよい。キャビティウォール部５６２０は、概して図５７に５７３０、５７４０及び５７５０として示される、２以上の壁区間を含んでもよい。キャビティウォール部５６２０は、バック面５６６６に対して長方形の基部（例えば、図５８）又は正方形の基部を持つ角錐台状構造を形成してもよい。あるいは、キャビティウォール部５６２０は、バック面５６６６に対して直方体状構造（例えば、長方形の基部を持つ）又は直方体状構造（例えば、正方形の基部を持つ）を形成してもよい。別の例では、キャビティウォール部５６２０は、バック面５６６６に対して正方形の基部の角錐状構造を形成してもよい。更に別の例では、キャビティウォール部５６２０は、バック面５６６６に対して三角形の基部の角錐状構造又は三角柱状構造を形成してもよい。第１の内部キャビティ５４１０（図５３−５５）と同様に、第１の内部キャビティ５７１０は、部分的に又は完全に、弾性ポリマー又はエラストマー材料（例えば、ＴＰＥ材料、ＴＰＵ材料、等）で充填されてもよい。弾性ポリマー材料は、フェース部５６６２のポートを介して射出成型工程を介して第１の内部キャビティ５７１０に注入されてもよい。本明細書に記載の器具、方法、及び製造物は、これに限定されない。
【０１６９】
図５９、６０に示すように、例えば、ゴルフクラブヘッド５９００は、ボディ部５９１０及びキャビティウォール部５９２０を含んでもよい。ボディ部５９１０は、トウ部５９４０、ヒール部５９５０、フロント部５９６０、リア部５９７０、トップ部５９８０（例えば、クラウン部）、ボトム部５９９０（例えば、ソール部）を含んでもよい。フロント部５９６０は、フロント面５９６４及びバック面５９６６を持つフェース部５９６２（例えば、打撃面）を含んでもよい。フェース部５９６２は、ゴルフクラブヘッド５９００のロフト角を画定するロフト面６００５と関連付けられてもよい。
【０１７０】
キャビティウォール部５９２０は、単一の平坦な壁区間であってもよい。具体的には、キャビティウォール部５９２０は、トウ部５９４０とヒール部５９５０の間およびトップ部５９８０とボトム部５９９０の間に延在して、ボディ部５９１０内に第１の内部キャビティ６０１０及び第２の内部キャビティ６０２０を形成してもよい。キャビティウォール部５９２０は、ロフト面６００５に対して平行又は実質的に平行であってもよい。あるいは図６１に示すように、キャビティウォール部６１２０は、グラウンド面６１３０に対して垂直又は実質的に垂直であってもよい。第１の内部キャビティ５４１０（図５３−５５）及び５７１０（図５６−５８）と同様に、第１の内部キャビティ６０１０は、部分的に又は完全に、弾性ポリマー又はエラストマー材料で充填されてもよい。弾性ポリマー材料は、フェース部５９６２及び／又はボトム部５９９０のポートを介して射出成型工程を介して第１の内部キャビティ６０１０に注入されてもよい。本明細書に記載の器具、方法、及び製造物は、これに限定されない。
【０１７１】
あるいは、キャビティウォール部５９２０は、キャビティウォール部５９２０とロフト角６０３０が互いに平行とならないように、ボトム部５９９０とトップ・アンド・フロント推移領域（すなわち、トップ部５９８０とフロント部５９７０の間の推移領域）に延在してもよい。別の例では、キャビティウォール部５９２０は、キャビティウォール部５９２０とロフト角６０３０が互いに平行にならないように、トップ部５９８０とボトム・アンド・フロント推移領域（すなわち、ボトム部５９９０とフロント部５９７０の間の推移領域）に延在してもよい。図５９−６１は、平坦又は実質的に平坦なキャビティウォール部５９２０及び６１２０を示すが、キャビティウォール部５９２０及び／又は６１２０は、フェース部５９６２に対して凹状又は凸状であってもよい。本明細書に記載の器具、方法、及び製造物は、これに限定されない。
【０１７２】
上記の例は、内部キャビティの中空体部をキャビティウォール部で分割して２つの別個の内部キャビティを形成し、一方の内部キャビティに部分的に又は完全に弾性ポリマー材料を充填したが、本明細書に記載の器具、方法、及び製造物は、中空体部を２以上のキャビティウォール部で分割して３以上の内部キャビティを形成し、少なくとも２つの内部キャビティに部分的に又は完全に弾性ポリマー材料を充填してもよい。一例では、１つの内部キャビティは、部分的に又は完全にＴＰＥ材料で充填され得る一方で、他の内部キャビティは、部分的に又は完全にＴＰＵ材料され得る。本明細書に記載の器具、方法、及び製造物は、これに限定されない。
【０１７３】
「and（及び）」と「or（又は）」の用語は、論理積及び論理和の意味の両方を有し得る。「a」と「an」の用語は、本開示で別段示さない限り、１又は複数のものとして定義される。「coupled（結合）」及びその任意の変形は、２以上の要素を化学的、機械的、及び／又は他の方法で直接又は間接に接続することを指す。「removably connected（取り外し可能に接続された）」という語句は、取り外し可能に接続された２つの要素が、いずれかの要素の有用性を破壊又は損なうことなしに互いに分離できるように定義される。
【０１７４】
「substantially（実質的に，略、など）」の用語は、要素の特徴、パラメータ、特性、又は値の説明に使用される場合、要素が提供しようとする特徴、パラメータ、特性、又は値を損なわない偏差又は変動を表し得る。要素の特徴、パラメータ、特性、又は値の偏差又は変動は、例えば、許容誤差、測定誤差、測定精度限界及び他の要因に基づき得る。「proximate（近接する）」の用語は、「adjacent（隣接する）」、「close（近い）」、「immediate（接近した）」、「nearby（近隣の）」等の用語と同義であり、このような用語は、本開示に現れるように交換可能に使用され得る。
【０１７５】
本明細書に記載の器具、方法、及び製造物は、種々の実施形態で実現することができ、これらの実施形態の幾つかの上記説明は、必ずしも全ての可能な実施形態の完全な説明を表すものではない。代わりに、図面の説明、及び図面自体は、少なくとも１つの実施形態を開示し、及び代替の実施形態を開示してもよい。
【０１７６】
ゴルフのルールが時々変更されるように（例えば、ゴルフ標準団体及び／又はＵＳＧＡ、Ｒ＆Ａ、等のような運営組織によって、新しい規則が採択されてもよく又は古い規則が撤廃又は変更されてもよい）、本明細書に記載の器具、方法、及び製造物に関連するゴルフ用品は、任意の特定の時点のゴルフのルールに適合しても適合しなくてもよい。従って、本明細書に記載の器具、方法、及び製造物に関連するゴルフ用品は、適合又は不適合のゴルフ用品として宣伝され、売りに出され、及び／又は販売されてもよい。本明細書に記載の器具、方法、及び製造物は、これに限定されない。
【０１７７】
更に、上記の例はゴルフクラブヘッドについて説明され得るが、本明細書に記載の器具、方法、及び製造物は、釣り竿、ホッケーのスティック、スキーのポール、テニスのラケット、等の他の適切なタイプのスポーツ用品に適用することができる。
【０１７８】
器具、方法、及び製造物の特定の例を本明細書で説明したが、本開示の対象領域はこれに限定されない。これに対し、本開示は、添付の特許請求の範囲又は均等論のスコープ内に公正に入る全ての器具、方法、及び製造物をカバーする。
【図１】
0006302604.tif 000002
【図２】
0006302604.tif 000003
【図３】
0006302604.tif 000004
【図４】
0006302604.tif 000005
【図５】
0006302604.tif 000006
【図６】
0006302604.tif 000007
【図７】
0006302604.tif 000008
【図８】
0006302604.tif 000009
【図９】
0006302604.tif 000010
【図１０】
0006302604.tif 000011
【図１１】
0006302604.tif 000012
【図１２】
0006302604.tif 000013
【図１３】
0006302604.tif 000014
【図１４】
0006302604.tif 000015
【図１５】
0006302604.tif 000016
【図１６】
0006302604.tif 000017
【図１７】
0006302604.tif 000018
【図１８】
0006302604.tif 000019
【図１９】
0006302604.tif 000020
【図２０】
0006302604.tif 000021
【図２１】
0006302604.tif 000022
【図２２】
0006302604.tif 000023
【図２３】
0006302604.tif 000024
【図２４】
0006302604.tif 000025
【図２５】
0006302604.tif 000026
【図２６】
0006302604.tif 000027
【図２７】
0006302604.tif 000028
【図２８】
0006302604.tif 000029
【図２９】
0006302604.tif 000030
【図３０】
0006302604.tif 000031
【図３１】
0006302604.tif 000032
【図３２】
0006302604.tif 000033
【図３３】
0006302604.tif 000034
【図３４】
0006302604.tif 000035
【図３５】
0006302604.tif 000036
【図３６】
0006302604.tif 000037
【図３７】
0006302604.tif 000038
【図３８】
0006302604.tif 000039
【図３９】
0006302604.tif 000040
【図４０】
0006302604.tif 000041
【図４１】
0006302604.tif 000042
【図４２】
0006302604.tif 000043
【図４３】
0006302604.tif 000044
【図４４】
0006302604.tif 000045
【図４５】
0006302604.tif 000046
【図４６】
0006302604.tif 000047
【図４７】
0006302604.tif 000048
【図４８】
0006302604.tif 000049
【図４９】
0006302604.tif 000050
【図５０】
0006302604.tif 000051
【図５１】
0006302604.tif 000052
【図５２】
0006302604.tif 000053
【図５３】
0006302604.tif 000054
【図５４】
0006302604.tif 000055
【図５５】
0006302604.tif 000056
【図５６】
0006302604.tif 000057
【図５７】
0006302604.tif 000058
【図５８】
0006302604.tif 000059
【図５９】
0006302604.tif 000060
【図６０】
0006302604.tif 000061
【図６１】
0006302604.tif 000062